(57)【特許請求の範囲】
【請求項１】
タブ及び／又はドラムと、該タブ及び／又は該ドラムと連通するように構成されたダクトと、ヒータと、該ヒータに直接水を噴射するノズルと、ブロワとを含む洗濯装置の制御方法において、
前記ヒータを加熱する準備ステップ（Ｓ５）であって、前記ヒータは前記ダクト内の一部の空間を占有して、スチーム発生に適した前記ヒータの高温外部環境を生成し、前記ノズル及び／又は前記ブロワの作動は前記準備ステップで停止するか、又は前記準備ステップの一部期間だけ、前記ノズル及び／又は前記ブロワの作動停止が維持される、ステップと、
前記ノズルを用いて前記ヒータに水を直接的に供給することによってスチームを発生させるスチーム発生ステップであって、前記ブロワの作動は前記スチーム発生ステップで停止するか、又は前記スチーム発生ステップの一部期間だけ、前記ブロワの作動停止が維持される、ステップと、
前記ブロワを回転させることによって前記ダクト内に空気流動を発生させ、前記の発生されたスチームを前記ドラム内の洗濯物に供給するスチーム供給ステップと、を含み、
前記スチーム供給ステップは、前記ヒータ、前記ノズル及び前記ブロワの作動が同時に行われる区間を少なくとも含む、洗濯装置の制御方法。
【請求項２】
前記準備ステップ、スチーム発生ステップ及びスチーム供給ステップは順次に行われ、及び／又は
前記スチーム発生ステップが完了した後に、前記スチーム供給ステップが行われる、請求項１に記載の制御方法。
【請求項３】
前記スチーム発生ステップの前記ノズルの作動時間は、前記スチーム供給ステップの前記ノズルの作動時間より更に長い、請求項１又は２に記載の制御方法。
【請求項４】
前記スチーム供給ステップの前記ノズルの作動時間は、前記スチーム発生ステップの前記ノズルの作動時間の１／２〜１／４である、請求項１ないし３のいずれか一項に記載の制御方法。
【請求項５】
前記スチーム供給ステップの前記区間において前記ヒータ、前記ノズル及び前記ブロワが同時に作動し、及び／又は
前記スチーム供給ステップの終盤に、前記ヒータ、前記ノズル及び前記ブロワが同時に作動する、請求項１ないし３のいずれか一項に記載の制御方法。
【請求項６】
前記スチーム発生ステップの少なくとも一部区間において前記ヒータを作動させる、請求項１ないし５のいずれか一項に記載の制御方法。
【請求項７】
前記スチーム供給ステップの前、及び／又は前記準備ステップの終盤に、前記ブロワを予備的に回転させる予備回転ステップを更に含む、請求項１ないし６のいずれか一項に記載の制御方法。
【請求項８】
前記準備ステップは、
前記ノズル及び前記ブロワの作動なしに前記ヒータだけを加熱する第１加熱を行うステップと、
前記ダクト内に設置された前記ブロワを作動させながら前記ヒータを加熱する第２加熱を行うステップと、を含む、請求項１ないし７のいずれか一項に記載の制御方法。
【請求項９】
前記第２加熱ステップにおいて、前記ノズルは作動しない、請求項８に記載の制御方法。
【請求項１０】
前記準備ステップ、前記スチーム発生ステップ、及び前記スチーム供給ステップで構成されたスチーム供給プロセスは、複数回繰り返される、請求項１ないし９のいずれか一項に記載の制御方法。
【請求項１１】
前記ダクトを通じて高温の空気を循環させるステップ、及び／又は、
前記ノズルを作動させて前記ダクト内の前記ヒータを清掃するステップを更に含む、請求項１ないし１０のいずれか一項に記載の制御方法。
【請求項１２】
前記高温の空気を循環させるステップ、及び／又は前記ヒータを清掃するステップは、前記準備ステップの前に行われる、請求項１１に記載の制御方法。
【請求項１３】
前記スチーム発生ステップ及び前記スチーム供給ステップは、
前記ヒータと前記ブロワとの間に位置する前記ノズルから、前記ノズルの噴射圧によって、前記ヒータに水を噴射するステップを含む、請求項１ないし１２のいずれか一項に記載の制御方法。
【請求項１４】
前記スチーム発生ステップ及び前記スチーム供給ステップは、
前記ダクト内の前記空気流動の方向と同一の方向に水を噴射するステップを含む、請求項１ないし１３のいずれか一項に記載の制御方法。
【請求項１５】
タブ及び／又はドラムに連通するダクトと、
前記ダクト内の空気に露出されて設置されるヒータと、
前記ダクト内に備えられるノズル及びブロワを含み、
請求項１ないし１４のいずれか一項による制御方法を実行するように構成されたコントローラを更に含む、洗濯機。
【発明の詳細な説明】
【技術分野】
【０００１】
本発明は、洗濯装置及び洗濯装置の制御方法に係り、より詳細には、洗濯機のような洗濯装置のスチーム供給メカニズムの制御方法に関する。
本願発明は、平成２４年２月６日出願の韓国特許出願第10-2012-0011743号、韓国特許出願第10-2012-0011744号、韓国特許出願第10-2012-0011745号、及び韓国特許出願第10-2012-0011746号、平成２４年４月３０日出願の韓国特許出願第10-2012-0045237号、並びに平成２４年５月３１日出願の韓国特許出願第10-2012-0058035号及び韓国特許出願第10-2012-0058037号の優先権を主張するものであり、ここにその全体を参照し、組み込む。
【背景技術】
【０００２】
洗濯装置は、洗濯物を乾燥するための乾燥機、洗濯物をリフレッシュするリフレッシャー及び洗濯物を洗濯する洗濯機を含む。一般に、洗濯機は、洗濯物を洗剤と機械的摩擦を用いて洗濯する装置である。構造的な面において、より詳細には、洗濯物を収容するタブの向き（ｏｒｉｅｎｔａｔｉｏｎ）によって、洗濯機は、トップローディング（ｔｏｐ−ｌｏａｄｉｎｇ）洗濯機とフロントローディング（ｆｒｏｎｔ−ｌｏａｄｉｎｇ）洗濯機とに大別することができる。トップローディング洗濯機において、タブは、洗濯機のハウジング内で立てられ、その上部に入口が形成される。したがって、洗濯物は、ハウジングの上部に形成され、タブの入口に連通する開口部を介してタブ内に入れられる。また、フロントローディング洗濯機において、タブは、ハウジング内に上向きに設置され、その入口は洗濯機の前面と対向する。したがって、洗濯物は、ハウジングの前面に形成され、タブの入口に連通する開口部を介してタブ内に入れられる。トップローディング及びフロントローディング洗濯機の両方において、ドアがハウジングに設置され、ハウジングの開口部を開閉する。
【０００３】
このような形態の洗濯機は、基本的な洗濯機能に加えて、他の様々な機能を有することができる。例えば、洗濯機は、洗濯だけでなく乾燥もできるように設計してもよく、乾燥のための熱い空気を供給するメカニズムを更に含むことができる。また、洗濯機は、洗濯物をリフレッシュする機能を有することができる。このようなリフレッシュ機能のために、洗濯機は、洗濯物にスチームを供給するメカニズムを含んでもよい。スチームは、液体状態の水を加熱して作られる気体状態の水であるため、高い温度を有し、洗濯物に容易に水分を供給することができる。したがって、供給されたスチームは、洗濯物のシワ、臭い、及び静電気などを除去することができる。また、リフレッシュ機能に加えて、スチームは、高い温度及び水分によって洗濯物を殺菌することができる。また、洗濯ステップに供給される場合、スチームは、洗濯物を収容するドラム又はタブ内に高い温度及び高い湿度を有する雰囲気をつくり、このような雰囲気によって洗濯性能を大きく向上させることができる。
【０００４】
洗濯機は、このようなスチームを供給するために様々な方法を用いることができる。例えば、洗濯機は、乾燥のために提供されたメカニズムを、スチームの発生のために用いてもよい。
【０００５】
従来技術と関連して、スチームの発生のために、更なる装置を必要としない洗濯機は、生産コストを増加させずにスチームを洗濯物に供給することができる。しかし、従来技術は、乾燥用メカニズムを最適に制御又は活用できないため、スチームだけを生成するように構成される独立した装置であるスチーム発生器と比較するとき、十分な量のスチームを効率的に生成できない。また、同様の理由によって、従来技術は、所望の機能、すなわち、リフレッシュ、殺菌及び雰囲気形成の機能を効果的に達成することができない。
【発明の概要】
【発明が解決しようとする課題】
【０００６】
したがって、本発明は、上述した問題点を実質的に解決する洗濯機のような洗濯装置及び洗濯装置の制御方法に向けられている。
【０００７】
本発明の目的は、効率的にスチームを生成することができる洗濯機のような洗濯装置及び洗濯装置の制御方法を提供するものである。
【０００８】
また、本発明の目的は、スチームの供給によって所望の機能を効果的に行うことができる洗濯装置及び洗濯装置の制御方法を提供するものである。
【０００９】
本発明の利点、目的及び特徴は、部分的には以降の説明に述べられており、部分的には以降の説明を検討すれば当業者には明らかとなるか、又は本願発明の実践から学ぶことができるであろう。本発明の目的及びほかの利点は、明細書、請求項及び添付の図面において特に指摘した構造によって実現され、達成されるであろう。
【課題を解決するための手段】
【００１０】
上記目的を達成するために、本発明は、一例として、洗濯機を含む洗濯装置のタブ及び／又はドラムに連通するダクト内の所定の空間を、ダクト内の他の空間の温度よりも高い温度に加熱するステップと、スチームを生成するように、加熱された所定の空間に水を直接的に供給するステップと、生成されたスチームがタブ及び／又はドラムに供給されるように、加熱された所定の空間に向かって空気流動を供給するステップと、からなる洗濯装置の制御方法を提供する。
【００１１】
また、本発明は、一例として、洗濯機を含む洗濯装置のタブ及び／又はドラムに連通するダクト内の所定の空間を、ダクト内の他の空間の温度よりも高い温度に加熱するステップと、スチームを生成するように、加熱された所定の空間に水を直接的に供給するステップと、生成されたスチームを洗濯物（より具体的には、タブ及び／又はドラム）に移送するように、加熱された所定の空間に向かって空気流動を供給するステップと、からなり、水供給ステップは、加熱ステップが所定時間の間に行われた後に開始され、空気流動供給ステップは、加熱ステップ及び水供給ステップが所定時間の間に行われた後に開始される洗濯装置の制御方法を提供する。
【００１２】
加熱ステップは、所定の空間に対する水の供給なしに行うことができ、ダクトに設置されたブロワを所定時間の間、作動させるステップを含むことができる。
【００１３】
水供給ステップは、ミストを加熱空間に向かって直接噴射するステップからなることができる。また、水供給ステップは、所定の空間に対する空気流動の供給なしに行うことができ、所定の空間に対する加熱と共に行うことができる。さらに、加熱ステップは、水供給ステップの少なくとも一部区間の間に追加的に行うことができる。
【００１４】
空気流動供給ステップは、所定の空間に対する加熱及び水の供給と共に行うことができる。また、加熱ステップは、空気供給ステップの少なくとも一部区間の間に追加的に行うことができ、水供給ステップは、空気供給ステップの少なくとも一部区間の間に追加的に行うことができる。
【００１５】
好ましくは、加熱ステップ、水供給ステップ及び空気流動供給ステップのセットは多数回繰り返すことができる。
【００１６】
洗濯装置の制御方法は、加熱ステップの前に少なくともダクト全体を加熱させる予備加熱ステップを更に含むことができる。また、洗濯装置の制御方法は、加熱ステップの前に少なくとも洗濯装置内に残留する水を排出するステップを更に含むことができ、加熱ステップの前にダクト内のヒータを清掃するステップを更に含むことができる。
【００１７】
洗濯装置の制御方法は、空気流動供給ステップの後に、加熱された空気を所定時間の間にタブ及び／又はドラムに供給する第１乾燥を行うステップと、第１乾燥での空気温度よりも高い温度を有する加熱された空気を洗濯物（具体的には、タブ及び／又はドラム）に供給する第２乾燥を行うステップとを更に含むことができる。洗濯装置の制御方法は、第２乾燥ステップの後に、加熱されていない空気を循環させることによって洗濯物を冷却させるステップを更に含むことができる。
【００１８】
また、洗濯装置の制御方法は、加熱ステップの前に、所定時間の間のダクト内の温度上昇量に基づいて、所定の空間に供給される水の量を判断するステップを更に含むことができる。より詳細には、判断ステップは、所定時間の間にダクト内の所定の空間内でスチームを生成させるステップと、所定時間の間に所定の空間から排出された空気の温度上昇量を決定するステップと、を含むことができる。
【００１９】
洗濯装置の制御方法は、十分な水が供給されなかったと判断される場合、ダクトに装着されたヒータを断続的に作動させながら、加熱された空気を洗濯物（具体的には、タブ及び／又はドラム）に供給する第３乾燥を行うステップを更に含み、第３乾燥が行われた後に、第３乾燥での空気温度よりも高い温度を有する加熱された空気を洗濯物（具体的には、タブ及び／又はドラム）に供給する第４乾燥を行うステップを更に含むことができる。洗濯装置の制御方法は、第４乾燥ステップの後に、加熱されていない空気を循環させることによって洗濯物を冷却させるステップを更に含むことができる。さらに、洗濯装置の制御方法は、十分な水が供給されたと判断される場合、予め設定された回数で加熱ステップ、水供給ステップ及び空気流動供給ステップを繰り返すことができる。
【００２０】
一方、洗濯装置の制御方法は、判断ステップの後に、そして加熱ステップの前に所定時間の間に洗濯装置の作動を休止させるステップを更に含むことができ、第１乾燥ステップの前に、所定時間の間に洗濯装置の作動を休止させるステップを更に含むことができる。
【００２１】
また、本発明は、ヒータを加熱する準備ステップと、ノズルを用いてヒータに水を直接的に供給することによってスチームを発生させるスチーム発生ステップと、ブロワを回転させることによってダクト内に空気流動を発生させ、生成されたスチームを洗濯物（具体的には、タブ及び／又はドラム）に供給するスチーム供給ステップと、を含み、スチーム供給ステップは、ヒータ、ノズル及びブロワの作動が同時に行われる区間を少なくとも含むことを特徴とする洗濯装置の制御方法を提供する。洗濯装置は、タブ又はドラムに連通するダクトを含むことができる。ここで、スチームはドラム及び／又はタブ内に供給される。洗濯装置は、ダクト内の空気に露出されて設置されるヒータを更に含むことができる。また、ダクト内に備えられるノズル及びブロワを更に含むことができる。
【００２２】
このとき、準備ステップ、スチーム発生ステップ及びスチーム供給ステップは順次に行われることが好ましい。
【００２３】
すなわち、スチーム発生ステップが完了した後に、スチーム供給ステップが行われることが好ましい。同様に、準備ステップが完了した後に、スチーム発生ステップが行われることが好ましい。
【００２４】
一方、スチーム発生ステップのノズルの作動時間は、スチーム供給ステップのノズルの作動時間より更に長いことが好ましい。すなわち、スチーム発生ステップにおいてノズルの作動時間が更に長く設定されるため、スチーム供給ステップに比べてより多いスチームを生成するようになる。
【００２５】
このとき、スチーム供給ステップのノズルの作動時間は、スチーム発生ステップのノズルの作動時間の１／２〜１／４であってもよく、好ましくは、１／２〜１／３であってもよい。
【００２６】
スチーム供給ステップの全区間においてヒータ、ノズル及びブロワの作動を同時に行うことができる。すなわち、スチーム供給ステップでは、ヒータの加熱が持続的になされる状態で、ノズルによってヒータに水が持続的に噴射されてスチームが発生される。このようなスチームの発生中に、ブロワの作動によってダクト内に空気流動が供給される。例えば、スチーム供給ステップが１０秒に設定された場合、１０秒間ヒータが作動され、ノズルによって水噴射がなされ、ブロワの作動によって空気流動が供給される。
【００２７】
一方、スチーム供給ステップの一部区間においてヒータ、ノズル及びブロワが同時に作動する場合、当該同時作動は、スチーム供給ステップの区間の終盤に行われることが好ましい。
【００２８】
スチーム発生ステップでは、ブロワの作動が停止されることが好ましい。このとき、ブロワの停止は、スチーム発生ステップの少なくとも一部区間でだけ行われてもよいが、好ましくは、スチーム発生ステップの全区間においてブロワの作動が停止される。スチーム発生ステップにおいてヒータの作動は維持される。この場合にも、ヒータの作動は、スチーム発生ステップの少なくとも一部区間において維持されてもよいが、好ましくは、スチーム発生ステップの全区間においてヒータの作動が維持される。
【００２９】
準備ステップにおいて、ノズル及びブロワの作動は停止されることが好ましい。ノズルの作動は、準備ステップの全区間において停止されることが好ましく、ブロワの作動は、準備ステップの全区間において停止されてもよく、少なくとも一部区間において停止されてもよい。仮に、ブロワの作動が準備ステップの一部区間でだけ行われる場合、ブロワは、準備ステップの初期には停止され、終盤にブロワの作動が維持されることが好ましい。
【００３０】
一方、スチーム供給ステップの前に、ダクトに設置されたブロワを予備的に回転させるステップを更に含むことができる。予備回転ステップは、準備ステップの終盤に行われることが好ましい。
【００３１】
一方、準備ステップにおいて、ノズル、ヒータ及びブロワの作動を、第１加熱ステップと第２加熱ステップにおいて互いに異なるように制御することができる。すなわち、準備ステップは、ノズル及びブロワの作動なしにヒータだけを加熱する第１加熱を行うステップと、ダクト内に設置されたブロワを作動させながらヒータを加熱する第２加熱を行うステップと、を含むことができる。
【００３２】
このとき、第２加熱ステップにおいて、ノズルの作動は停止されることが好ましい。
【００３３】
一方、スチーム発生ステップ及びスチーム供給ステップは、タブ及び／又はドラムからスチームの供給によって生成された水を排出するステップを含むことができる。排出ステップは、排水ポンプを作動させ、タブ及び／又はドラム内の水を洗濯装置の外部に排出することによって行うことができる。
【００３４】
一方、準備ステップ、スチーム発生ステップ及びスチーム供給ステップで構成されたスチーム供給プロセスは、多数回繰り返されることが好ましい。
【００３５】
なお、準備ステップの前に行われ、ダクトを通じて高温の空気を循環させるステップを更に含むことができる。
【００３６】
なお、準備ステップの前に、洗濯装置内に残留する水を排出するステップを更に含むことができる。
【００３７】
そして、準備ステップの前に、ダクト内のヒータを清掃するステップを更に含むことができる。清掃ステップは、ノズルを用いてヒータに水を噴射することによって行うことができる。
【００３８】
スチーム供給ステップの後には乾燥プロセスを行うことができ、乾燥プロセスは、加熱された空気を所定時間の間に洗濯物（具体的には、タブ及び／又はドラム）に供給する第１乾燥を行うステップと、第１乾燥での空気温度よりも高い温度を有する加熱された空気を洗濯物（タブ及び／又はドラム）に供給する第２乾燥を行うステップと、を更に含むことができる。第１乾燥ステップ及び第２乾燥ステップは、スチーム供給ステップの後に行うことができる。
【００３９】
このとき、第１乾燥の期間は、第２乾燥の期間より更に長く設定することができる。
【００４０】
一方、第１乾燥ステップは、ダクトに設置されたヒータを断続的に作動させるステップからなり、第２乾燥ステップは、ヒータを継続的に作動させるステップからなることができる。
【００４１】
そして、第２乾燥ステップの後に、加熱されていない空気を循環させることによって洗濯物を冷却させるステップを更に含むことができる。
【００４２】
一方、スチーム発生ステップ及びスチーム供給ステップにおいてノズルを作動させる場合、ヒータとブロワとの間に位置するノズルから、ヒータに水を噴射することが好ましい。
【００４３】
そして、ノズルは、ダクト内の空気流動の方向とほぼ一致する方向に水を噴射することが好ましい。
【００４４】
また、ノズルは、自己噴射圧によりヒータに水を噴射することが好ましい。
【００４５】
そして、ノズルは、ミストをヒータに噴射することが好ましい。
【００４６】
一方、ヒータは、ダクト内の空気に露出されて設置され、ブロワは、ダクト内の空気がヒータを通過してタブ及び／又はドラムに供給されるように作動され得る。すなわち、本発明において、ヒータは、加熱空気を発生させる構成であって、ダクト内に存在する空気に露出されて設置される。それに加えて、ダクト内で露出されたヒータに水を噴射してスチームを発生させることができる。
【００４７】
上述した洗濯装置の制御方法は、以下で説明する洗濯機及び洗濯機能を有する乾燥機を含む洗濯装置に適用可能である。
【００４８】
本発明の一実施例によれば、洗濯装置は、上述した制御方法のいずれか一つを行うコントローラを含むことができる。ここで、一例として、洗濯機を含む洗濯装置は、タブ及び／又はドラムに連通する少なくとも一つのダクトと、ダクト内の空気に露出されて設置されるヒータと、ダクト内に備えられるノズル及びブロワを含むことができる。
【００４９】
本発明は、洗濯水を溜めるタブ及び／又は回転可能に提供され、洗濯物を収容するドラム、タブ及び／又はドラムに連通するように構成されるダクトと、ダクト内に設置され、ダクト内の所定の空間だけを加熱するように構成されるヒータと、ダクトに設置され、スチームを生成するように、加熱された所定の空間に水を直接的に供給するノズルと、ダクトに設置され、生成されたスチームを洗濯物（具体的には、タブ及び／又はドラム）に供給するように、所定の空間に向かって空気を吹き出すブロワと、からなる洗濯装置を提供する。
【００５０】
また、本発明は、洗濯水を溜めるタブ及び／又は回転可能に提供され、洗濯物を収容するドラム、タブ及び／又はドラムに連通するように構成されるダクトと、ダクト内に設置され、ダクト内の所定の空間だけを加熱するように構成されるヒータと、ダクトに設置され、スチームを生成するように、加熱された所定の空間に水を直接的に供給するノズルと、ダクトに設置され、生成されたスチームを洗濯物（具体的には、タブ及び／又はドラム）に供給するように、所定の空間に向かって空気を吹き出すブロワと、所定量の水を収容するようにダクトに提供され、スチームの発生のために水が加熱されるようにダクトに配置されるリセスと、からなる洗濯装置を提供する。
【００５１】
また、本発明は、洗濯水を溜めるタブ及び／又は回転可能に提供され、洗濯物を収容するドラム、タブ及び／又はドラムに連通するように構成されるダクトと、ダクト内に設置され、ダクト内の所定の空間だけを加熱するように構成されるヒータと、ダクトに設置され、スチームを生成するように、加熱された所定の空間に水を直接的に供給し、別途に形成されてその内部にかん合され、渦流を形成する発生装置を有するノズルと、ダクトに設置され、生成されたスチームを洗濯物（具体的には、タブ及び／又はドラム）に移送するように所定の空間に向かって空気を吹き出すブロワと、からなる洗濯装置を提供する。
【００５２】
ノズルは、水を噴射する開口部を有するヘッドと、ヘッドと一体に形成され、ヘッドに水を案内するボディと、からなることができる。発生装置は、ボディ内にかん合され得る。
【００５３】
発生装置は、その中心に沿って延び、円錐形状を有するコアと、コアの周囲にらせん状に延長される流路とを含むことができる。
【００５４】
ノズルは、発生装置の位置を決定する位置決め構造を有することができる。より詳細には、位置決め構造は、ノズル及び発生装置のいずれか一つに形成される溝と、ノズル及び発生装置のいずれか他方に形成され、溝に挿入されるリブと、からなることができる。
【００５５】
また、本発明は、洗濯水を溜めるタブ及び／又は回転可能に提供され、洗濯物を収容するドラム、タブ及び／又はドラムに連通するように構成されるダクトと、ダクト内に設置され、電源の供給により加熱されるヒータと、ダクトに設置され、噴射圧により加熱されたヒータに水を直接的に噴射するノズルと、ダクトに設置され、ダクト内に空気流動を発生させることで、生成されたスチームを洗濯物に供給するブロワと、を含み、ノズルは、空気流動の流れ方向とほぼ同一の方向に水を噴射することを特徴とする洗濯装置を提供する。
【００５６】
このとき、ノズルは、ヒータとブロワとの間に備えられることが好ましい。
【００５７】
ノズルの設置位置をダクトの延長方向を考慮して表現すると、ヒータは、ダクトの長手方向の一方に位置し、ブロワは、ダクトの長手方向の他方に位置し、ノズルは、ヒータとブロワとの間に位置すると説明できる。
【００５８】
ノズルがヒータとブロワとの間に備えられる場合、ノズルは、ブロワに近づくように、ヒータから所定間隔を隔てて設置されることが好ましい。すなわち、ノズルがヒータとブロワとの間に位置するものの、ブロワに更に近接して位置する。
【００５９】
言い換えると、ノズルは、ブロワを通過した空気が吐出される吐出部に隣接するように設置されるものと説明できる。
【００６０】
一方、ノズルは、ブロワを覆うブロワハウジングに設置することができる。
【００６１】
ここで、ブロワハウジングは、上部ハウジングと下部ハウジングを含み、ノズルは、上部ハウジングに設置することができる。
【００６２】
ノズルを設置するために、上部ハウジングには、ノズルが挿入される孔を形成することができる。
【００６３】
ノズルは、ボディとヘッドを含み、ヘッドは、孔に挿入されて、ダクトの内部に位置することが好ましい。加えて、ヘッドに隣接したボディの一部も、孔に挿入されて、ダクトの内部に位置することができる。
【００６４】
一方、ノズルは複数個であってもよい。複数個のノズルは、それぞれボディとヘッドを含み、複数個のノズルは、フランジを通じて互いに連結可能である。
【００６５】
ここで、フランジは、ダクトに連結するための締結孔を有することが好ましい。したがって、締結孔に締結部材（例えば、ねじ又はボルト）を結合してフランジをダクトに固定することができる。したがって、フランジに結合された複数個のノズルは、固定されて設置されることができる。
【００６６】
一方、ノズルは、ミストをヒータに直接的に噴射することが好ましい。ノズルは、ウォータージェットの形態でヒータに供給することができるが、より効率的で且つ迅速なスチームの生成のために、ミストをヒータに噴射することが好ましい。また、ノズルは、ヒータに水を直接的に噴射することによって、水の損失なしにスチームを生成することができる。
【００６７】
また、ノズルは、その内部にらせん状に延びる流路を含むことができる。
【００６８】
一方、洗濯装置は、所定量の水を収容するようにダクトに提供され、スチームの発生のために水が加熱されるようにダクトに配置されるリセスを更に含むことができる。
【００６９】
このとき、リセスは、ヒータの下に位置することが好ましい。このとき、リセスは、ヒータの下に位置することが好ましい。
【００７０】
このとき、ヒータの少なくとも一部は、リセスに向かって下方に折れ曲がった折曲部を有することができる。このとき、折曲部は、リセス内に位置することが好ましい。したがって、リセスに水が集まる場合、折曲部はリセス内の水と接触することができる。
【００７１】
一方、ヒータに折曲部を形成し、ヒータが直接的にリセスに集まった水と接触して加熱する方法とは異なり、間接的にリセスに集まった水を加熱することができる。
【００７２】
間接的な加熱のために、ヒータに結合され、ヒータの熱を伝達する熱伝導部材を更に含むことができる。このとき、熱伝導部材の少なくとも一部は、リセス内に位置することが好ましい。
【００７３】
熱伝導部材は、ヒータに装着され、リセス内に少なくとも一部が位置するヒートシンクからなることができる。
【００７４】
一方、リセスは、ヒータの自由端の下に配置することができる。このようなリセスの配置は、直接的な加熱方式及び間接的な加熱方式の両方に適用可能である。
【００７５】
また、本発明は、洗濯水を溜めるタブ及び／又は回転可能に提供され、洗濯物を収容するドラム、タブ及び／又はドラムに連通するように構成されるダクトと、ダクト内に設置され、電源の供給により加熱されるヒータと、ダクトに設置され、噴射圧により加熱されたヒータに水を直接的に噴射するノズルと、ダクトに設置され、ダクト内に空気流動を発生させることで、生成されたスチームを洗濯物に供給するブロワと、を含み、ノズルは、ヒータとブロワとの間で、ダクト内の空気流動の流れ方向とほぼ同一の方向に水を噴射する洗濯装置を提供する。
【００７６】
ダクト内の空気流動の流れ方向に沿って構成の配置を説明すると、ブロワ、ノズル及びヒータの順に配置される。すなわち、ブロワの回転により空気の流動が発生すると、ブロワから排出された空気は、ノズルが設置された位置を通過してヒータに到達する。このとき、ヒータを通過した空気は、洗濯物（言い換えると、ドラム及び／又はタブ）に供給される。特に、このとき、ノズルは、ブロワを覆うブロワハウジングの上部、より具体的には、ブロワハウジングの上部ハウジングに設置されることが好ましい。
【００７７】
上述した洗濯装置の各特徴は、洗濯装置に個別的に適用したり、少なくとも２つの特徴を組み合わせて適用することができる。
【発明の効果】
【００７８】
本発明に係る洗濯機は、最小限の変形だけを適用して、高温空気の供給のためのメカニズム、すなわち、乾燥用メカニズムをスチームの生成及び供給のために活用する。また、本発明に係る制御方法は、既存の乾燥メカニズム、すなわち、変形したスチーム供給メカニズムを最適に制御する。すなわち、本発明は、十分な良質のスチームを効率的に生成及び供給するための最小限の変形及び最適の制御を具現する。このような理由によって、本発明は、生産コストの増加を最小限にし、且つ、リフレッシュ、洗濯性能の向上及び殺菌だけでなく、他の様々な機能を効果的に実現することができる。
【００７９】
本発明に関する上述の一般的説明及び以降の詳細な説明は双方とも例示及び説明的なものであって、本願請求項に記載された本発明の更なる説明を提供しようとするものであることを理解されたい。
【００８０】
添付の図面は、本発明の更なる説明を提供しようとするものであって、本願に組み込まれ、本願の一部を成し、本発明の実施例及び本発明の原理を説明する役割をする記載を示すものである。
【図面の簡単な説明】
【００８１】
【図１】本発明に係る洗濯機を示す斜視図である。
【図２】図１の洗濯機を示す断面図である。
【図３】本発明に係る洗濯機のダクトを示す斜視図である。
【図４】図３に示されたダクトのブロワハウジングのカバーを示す斜視図である。
【図５】洗濯機のダクトを示す平面図である。
【図６】洗濯機のダクトに設置されるノズルを示す斜視図である。
【図７】図６のノズルを示す断面図である。
【図８】図６のノズルを示す部分断面図である。
【図９】ダクトの変形例を示す斜視図である。
【図１０】図９のダクトを示す側面図である。
【図１１】図９のダクトに設置されたヒータを示す斜視図である。
【図１２】ダクトの変形例を示す斜視図である。
【図１３】図１３のダクトに設置されたヒータを示す斜視図である。
【図１４】ダクトの変形例を示す斜視図である。
【図１５】図１５のダクトを示す平面図である。
【図１６】本発明に係る洗濯機の制御方法を示すフローチャートである。
【図１７】図１６の制御方法を示すテーブルである。
【図１８Ａ】図１６の制御方法を示すタイムチャートである。
【図１８Ｂ】図１６の制御方法を示すタイムチャートである。
【図１８Ｃ】図１６の制御方法を示すタイムチャートである。
【図１９】供給された水の量を判断するステップを示すフローチャートである。
【図２０】十分な水が供給されていない場合に行われるステップを示すフローチャートである。
【図２１】スチーム供給のプロセスを含む洗濯機の制御方法を示すフローチャートである。
【発明を実施するための形態】
【００８２】
以下、上記の目的を具体的に実現できる本発明の好ましい実施例が、添付の図面を参照して説明される。本発明は、各図に示されたように、フロントローディング洗濯機の構造を参照して説明されるが、実質的な変形なしにトップローディング洗濯機にも適用することができる。
【００８３】
以下で説明される‘作動’は、該当の構成に電源を供給して該当の構成の機能を発揮することを意味する。例えば、ヒータの‘作動’は、ヒータに電源を供給して加熱することを意味する。加えて、ヒータの‘作動区間’は、ヒータに電源を供給する区間を意味する。ヒータに供給される電源を遮断した場合、ヒータの‘作動’は停止されたことを意味する。これは、ブロワ及びノズルにも同様に適用される。
【００８４】
図１は、本発明に係る洗濯機を示す斜視図で、図２は、図１の洗濯機を示す断面図である。
【００８５】
図１に示すように、洗濯機は、外形を形成し、作動に必要な部品を収容するハウジング１０を有することができる。ハウジング１０は、洗濯機全体を取り囲むように形成することができる。しかし、メンテナンスのために容易に分解できるように、図１に示すように、ハウジング１０は、洗濯機の一部分だけを囲む。その代わりに、洗濯機の前方部を形成するように、フロントカバー１２がハウジング１０の前方部に装着され、フロントカバー１２の上側には、洗濯機の操作のためにコントロールパネル１３が装着される。同様に、洗濯機の上部には洗剤ボックス１５が装着される。洗剤ボックス１５は、洗濯物の洗濯のための洗剤及びその他の添加剤を収容し、引き出し可能な引き出しからなることができる。また、洗濯機の最上部を覆うようにトッププレート１４がハウジング１０に提供される。フロントカバー１２、トッププレート１４、及びコントロールパネル１３もハウジング１０と同様に洗濯機の外形を形成するため、ハウジング１０の一部と見なすことができる。ハウジング１０、正確にはフロントカバー１２は、その前面に形成された開口部１１を有し、開口部１１は、同様にハウジング１０に設置されるドア２０によって開放及び閉鎖される。ドア２０は、一般に円形状を有するが、図１に示すように、実質的に四角形状を有するように作製されてもよい。このような四角形状のドア２０は、開口部１１及びドラム４０の入口を使用者に大きく見えるようにするため、洗濯機の外観を向上させるのに有利である。図２に示すように、ドア２０にはドアガラス２１が設置され、使用者は、当該ドアガラス２１を通じて、洗濯物の状態を確認するために洗濯機の内部を見ることができる。
【００８６】
図２を参照すると、ハウジング１０の内部にはタブ３０及びドラム４０が設置される。タブ３０は、ハウジング１０の内部に洗濯水を溜めるように設置され、ドラム４０は、タブ３０内に回転可能に設置される。タブ３０は、洗濯に必要な水を直接受けるために、外部の給水源と連結することができる。また、タブ３０は、チューブやホースのような連結部材によって洗剤ボックス１５に連結され、洗剤ボックス１５から洗剤及び添加剤などの供給を受けることができる。タブ３０及びドラム４０は、それらの入口がハウジング１０の前方部に対向するように向けられる。タブ及びドラム３０，４０の入口は、前述したハウジングの開口部１１に連通し、これによって、一旦、ドア２０が開放されると、使用者は、開口部１１及びタブ／ドラム３０，４０の入口を介して洗濯物をドラム４０内に入れることができる。また、開口部１１とタブ３０との間には、洗濯物及び洗濯水の漏れを防止するためにガスケット２２が提供される。タブ３０は、材料費を節減すると共に、重量を減らすためにプラスチック材質の素材で形成することができる。反面、ドラム４０は、ぬれた重い洗濯物を収容し、洗濯中に、このような洗濯物によって繰り返して衝撃を受けるため、十分な強度及び剛性を有するように金属材質からなることができる。ドラム４０には、タブ３０内の洗濯水がその内部に流入するようにする多数の貫通孔４０ａが形成される。また、タブ３０の周囲には、ドラム４０と連結される所定の動力装置が設置され、ドラム４０は、動力装置によって回転する。一般に、洗濯機は、図２に示すように、設置された床面に実質的に水平な中心軸を有するように向けられたタブ３０及びドラム４０を有する。しかし、洗濯機は、上側方向に傾斜するように向けられたタブ３０及びドラム４０を有してもよい。すなわち、タブ３０及びドラム４０の入口（すなわち、前方部）は、それらの後方部よりも高く配置される。タブ３０及びドラム４０の入口だけでなく、それらと連携する開口部１１とドア２０は、図２に示された入口と開口部１１及びドア２０よりも高く配置される。したがって、使用者は、腰を曲げずに、洗濯機に洗濯物を入れたり、洗濯機から洗濯物を取り出すことができる。
【００８７】
洗濯機の洗濯性能を更に向上させるために、洗濯物の種類及び状態に応じて温かい、又は熱い洗濯水が必要になる。このような目的のために、本発明の洗濯機は、それ自体から温かい、又は熱い洗濯水を作ることができるように、ヒータ８０とサンプ（ｓｕｍｐ）３３を含むヒータアセンブリを有することができる。当該ヒータアセンブリは、図２に示されたようにタブ３０に提供され、タブ３０に溜められた洗濯水を所望の温度に加熱する。ヒータ８０は、洗濯水を加熱するように構成され、サンプ３３は、ヒータ８０及び洗濯水を収容するように構成される。
【００８８】
図２を参照すると、ヒータアセンブリは、洗濯水を加熱するように構成されるヒータ８０からなることができる。また、ヒータアセンブリは、ヒータ８０を収容するように構成されるサンプ３３を有することができる。ヒータ８０は、図示のように、サンプ３３に形成された所定の大きさの開口部３３ａを介してタブ４０内に、正確にはサンプ３３内に挿入可能である。サンプ３３は、タブ３０の底部に一体に形成されるキャビティ又はリセスからなることができる。したがって、サンプ３３は、開放された上部を有し、タブ３０に供給された洗濯水の一部を収容できるように、その内部に所定の大きさの空間を形成する。サンプ３３は、前述したように、溜められた洗濯水を排出するのに有利なタブ３０の底部に形成されるため、サンプ３３の底部に排水口３３ｂが形成され、排水管９１によって排水ポンプ９０につながる。したがって、タブ３０内の洗濯水を、排水口３３ｂ、排水管９１及び排水ポンプ９０を経て洗濯機の外部に排出することができる。排水口３３ｂは、サンプ３３の底部の代わりに、タブ３０の他の部位に形成されてもよい。サンプ３３及びヒータ８０を用いることで、洗濯機自体において洗濯水を加熱し、熱い又は温かい洗濯水を洗濯に利用することができる。
【００８９】
一方、洗濯機は、使用者の便宜のために、洗濯された洗濯物を乾燥できるように構成することができる。このような目的のために、洗濯機は、熱い空気を生成し、供給するための乾燥メカニズムを有することができる。乾燥メカニズムとして、洗濯機は、タブ３０に連通するように構成されるダクト１００を有することができる。ダクト１００は、その両端がタブ３０とそれぞれ連結されるため、タブ３０だけでなくドラム４０内の空気もダクト１００を通じて循環することができる。ダクト１００は、構造的に一つのアセンブリで形成されるが、機能的に乾燥ダクト１１０及び凝縮ダクト１２０に区分することができる。乾燥ダクト１１０は、基本的に洗濯物の乾燥のための熱い空気を生成するように構成され、凝縮ダクト１２０は、洗濯物を通り抜けた循環する空気中の水分を凝縮するように構成される。
【００９０】
まず、乾燥ダクト１１０は、凝縮ダクト１２０及びタブ３０と連結されるようにハウジング１０内に設置することができる。乾燥ダクト１１０内には、ヒータ１３０とブロワ１４０を内蔵することができる。また、凝縮ダクト１２０も、ハウジング１０内に配置し、乾燥ダクト１１０及びタブ３０とそれぞれ連結することができる。凝縮ダクト１２０は、空気中の水分を凝縮させて除去するように水を供給する給水装置１６０を含むことができる。乾燥ダクト１１０及び凝縮ダクト１２０、すなわちダクト１００は、前述したように、基本的にハウジング１０内に配置されるが、必要に応じて、部分的にハウジング１０の外部に露出されて配置されることもある。
【００９１】
乾燥ダクト１１０は、ヒータ１３０を用いて、ヒータ１３０と隣接した空気を加熱し、ブロワ１４０を用いて、加熱した空気をタブ３０及びその内部に配置されたドラム４０に向かって吹き出すことができる。ヒータ１３０は、ダクト１００（より詳細には、乾燥ダクト１１０）内の空気に露出されて設置される。したがって、熱くて乾いた空気を、乾燥ダクト１１０から、洗濯物を乾燥させるように、タブ３０を経てドラム４０に供給することができる。また、ブロワ１４０とヒータ１３０は共に作動するため、加熱されていない新しい空気は、ブロワ１４０によってヒータ１３０に供給され、その後、タブ３０及びドラム４０に供給されるようにヒータ１３０を通過しながら加熱され得る。すなわち、熱くて乾いた空気の供給は、ヒータ１３０及びブロワ１４０の同時作動によって継続的に行うことができる。一方、供給された熱い空気は、洗濯物を乾燥させ、その後、ドラム４０からタブ３０を経て凝縮ダクト１２０に排出される。凝縮ダクト１２０は、給水装置１６０を用いて、排出された空気から水分を除去して乾いた空気を作り、このような乾いた空気を再び加熱するように乾燥ダクト１１０に供給することができる。このような供給は、実質的に、ブロワ１４０の作動によって発生する乾燥ダクト１１０と凝縮ダクト１２０との間の圧力差によって生じ得る。すなわち、排出された空気は、凝縮ダクト１２０及び乾燥ダクト１１０を経ながら熱くて乾いた空気に変換される。したがって、洗濯機内の空気は、継続的にタブ３０、ドラム４０、凝縮及び乾燥ダクト１２０，１１０を経て循環しながら、洗濯物を乾燥させることができる。前述した循環する空気の流動を考慮するとき、熱くて乾いた空気を供給するダクト１００の端部、すなわち、乾燥ダクト１１０のタブ３０及びドラム４０に連通する端部又は開口部は、ダクト１００の排出部又は排出口１１０ａを形成することができる。また、湿った空気を受けるダクト１００の端部、すなわち、凝縮ダクト１２０のタブ３０及びドラム４０が連通する端部又は開口部は、ダクト１００の吸込部又は吸込口１２０ａを形成することができる。
【００９２】
乾燥ダクト１１０、正確には排出部１１０ａは、図２に示されたように、タブ３０及びドラム４０に連通するようにガスケット２２に連結することができる。一方、図２に点線で示すように、乾燥ダクト１１０、正確には排出部１１０ａは、タブ３０の前方部の上部領域に連結してもよい。このような場合、タブ３０には、乾燥ダクト１１０に連通する吸込口３１を形成し、ドラム４０には、吸込口３１を通じて乾燥ダクトに連通する吸込口４１を形成することができる。また、凝縮ダクト１２０、すなわち吸込部１２０ａは、タブ３０の後方部に連結することができ、凝縮ダクト１２０に連通するように、吐出口３２を、同様にタブの後方部の下部領域に形成することができる。このような乾燥及び凝縮ダクト１１０，１２０及びタブ３０の連結部の位置によって、熱くて乾いた空気は、矢印で示すように、ドラム４０の内部においてドラム４０の前方部から後方部まで流動することができる。正確には熱くて乾いた空気は、ドラムの前方部の上部領域からドラムの後方部の下部領域まで流動することができる。すなわち、熱くて乾いた空気は、ドラム４０の内部において対角線方向に流動することができる。結果的に、乾燥及び凝縮ダクト１１０，１２０は、それらの適切な装着位置によって、熱くて乾いた空気がドラム４０の内部空間を完全に横切るように構成することができる。したがって、熱くて乾いた空気がドラム４０の内部空間全体に均一に拡散することによって、乾燥効率及び性能を大きく向上させることができる。
【００９３】
ダクト１００は様々な部品を収容する。したがって、これらの部品がその内部に容易に設置されるように、ダクト１００、すなわち、乾燥及び凝縮ダクト１１０，１２０は分離可能な部材（ｐａｒｔｓ）からなることができる。特に、ほとんどの部品、例えば、ヒータ１３０及びブロワ１４０は、乾燥ダクト１１０に連動するように配置されるため、乾燥ダクト１１０が分離可能な部材からなることができる。乾燥ダクト１１０がこのように分解可能なため、その内部の部品は、メンテナンスのために乾燥ダクト１１０から容易に取り出すことができる。より詳細には、乾燥ダクト１１０は下部部材１１１を有することができる。下部部材１１１は、その内部に実質的に空間を有し、部品を、このような空間内に収容することができる。また、乾燥ダクト１１０は、下部部材１１１を覆うカバー１１２を有することができる。下部部材１１１とカバー１１２とは所定の締結部材を用いて互いに締結することができる。また、ダクト１００は、高速で回転するブロワ１４０を安定に収容するように構成された別途のブロワハウジング１１３を有することができる。ブロワハウジング１１３も、ブロワ１４０の容易な設置及びメンテナンスのために、分離可能な部材からなることができる。ブロワハウジング１１３は、ブロワ１４０を収容する下部ハウジング１１３ａと、下部ハウジング１１３ａを覆う上部ハウジング１１３ｂとからなることができる。分離されなければならない上部ハウジング１１３ｂを除いては、下部ハウジング１１３ａは、ダクト１００の部品数を減らすために、乾燥ダクトの下部部材１１１と一体に形成することができる。図３乃至図５は、互いに一体化された下部部材１１１と下部ハウジング１１３ａを示している。このような場合、乾燥ダクト１１０自体がブロワハウジング１１３と一体化されると見なすことができ、これによって、乾燥ダクト１１０がブロワ１４０も収容すると見なすことができる。一方、下部ハウジング１１３ａを、凝縮ダクト１２０と一体に形成することができる。乾燥ダクト１１０は、高い温度の空気を生成及び移送するため、高い耐熱性及び熱伝導性が要求される。また、下部ハウジング１１３ａは、高速回転するブロワを安定に支持しなければならないため、高い剛性及び強度を有しなければならない。したがって、互いに一体化された下部ハウジング１１３ａと下部部材１１１は金属材質からなることができる。反面、このような金属材質の下部ハウジング１１３ａと下部部材１１１によって要求条件が満足されるため、カバー１１２及び上部ハウジング１１３ｂは、乾燥ダクト１１０の重量を減らすためにプラスチックで製造することができる。
【００９４】
さらに、本発明に係る洗濯機は、使用者に、より多様な機能を提供するために、洗濯物にスチームを供給するように構成することができる。上記で従来技術と関連して論議したように、スチームの供給によってシワ、静電気、臭いなどを除去することによって、洗濯物をリフレッシュすることができる。また、スチームは、洗濯物を殺菌することができ、洗濯に最適化された雰囲気をつくることができる。このようなすべての機能は、洗濯機の基本的な洗濯コース中に行うことができ、一方、洗濯機は、それぞれの機能を行うように最適化された別途のプロセス又はコースを有することができる。このような機能のためのスチームを供給するように、洗濯機は、スチームだけを生成するように設計された独立したスチーム発生器を有することができる。しかし、洗濯機は、スチーム供給のために、他の機能のために提供されたメカニズムをスチームの生成及び供給に利用することもできる。例えば、前述したように、乾燥メカニズムは、熱源を提供するヒータ１３０と、タブ３０及びドラム４０への移送手段を提供するダクト１００及びブロワ１４０などを含むため、熱い空気だけでなくスチームの供給のためにも使用することができる。それにもかかわらず、スチームの供給のために、通常の乾燥メカニズムを実際に少し変形する必要があり、そのように、スチームの供給のために変形した乾燥メカニズムは、以下で、図３乃至図１５を参照して説明する。上記の図面において、図３、図５、図９、図１２、図１４は、ダクト１００の内部の構造をより詳細に示すために、乾燥ダクトのカバー１１２が除去されたダクト１００を示す。
【００９５】
まず、スチームの供給のために、スチームを生成するのに適した高温の環境をつくる必要がある。したがって、ヒータ１３０は、ダクト１００内のヒータ１３０を加熱するように構成することができる。公知のように、空気自体は低い熱伝導性を有する。そのため、もし、洗濯機がヒータ１３０から発散する熱をダクト１００の他の領域に強制的に移動させる手段、例えば、ブロワ１４０からの空気流動を提供しない場合、ヒータ１３０は、自身が占める空間自体及びその周辺空間だけを加熱することができる。したがって、ヒータ１３０は、スチームの供給のために、ダクト１００内の空間を局部的に高い温度まで加熱することができる。すなわち、ヒータ１３０は、ダクト１００内の空間の一部である所定空間Ｓをダクト内の他の空間の温度よりも高い温度に加熱することができる。より詳細には、そのような相対的に高い温度への加熱のために、ヒータ１３０は所定空間Ｓだけを加熱することができる一方、当該所定空間Ｓを直接的に加熱することができる。このような場合、所定空間Ｓはヒータ１３０自体であってもよい。すなわち、ヒータ１３０と所定空間Ｓは互いに同一の意味で使用することができる。又は、所定空間Ｓは、ヒータ１３０自身が占める空間と、ヒータ１３０に隣接するダクト内の周辺空間とからなることができる。すなわち、所定空間Ｓは、ヒータ１３０自体を含む概念である。局部的で且つ直接的な高い温度への加熱によって、ヒータ１３０は、迅速にスチームの生成に適した環境になることができる。
【００９６】
ヒータ１３０は、ダクト（より詳細には、乾燥ダクト）内に設置され、電源の供給により加熱される。ヒータ１３０は、図３及び図５に示すように、基本的にボディ１３１からなることができる。ボディ１３１は、実質的にダクト１００内に配置され、加熱のための熱を発生させることができる。そのために、ボディ１３１は、様々な加熱メカニズムを用いることができるが、一般に加熱導線（ｈｏｔ  ｗｉｒｅ）からなることができる。より詳細には、ボディ１３１は、ダクト１００内に存在し得る水分による故障を防止するために、防水構造を有するシーズヒータからなることができる。また、好ましくは、ボディ１３１は、同一平面上で多数回折れ曲がって、狭い空間において最大の熱を発生させることができる。ヒータ１３０は、ボディ１３１に電気を供給するために、ボディ１３１と電気的に接続されるターミナル１３２を有することができる。ターミナル１３２は、ボディ１３１の端部に配置することができる。ターミナル１３２は、外部電源との接続のために、ダクト１００の外部に配置することができる。ボディ１３１とターミナル１３２との間には密閉部材を挟むことができ、ダクト１００内の空気及びスチームの漏れを防止するようにダクト１００を密閉することができる。
【００９７】
また、ヒータ１３０は、ブラケット１１１ｂを用いて、ダクト１００の底部（正確には、乾燥ダクトの下部部材１１１）に固定することができる。また、ブラケット１１１ｂと連携してボス１１１ａをダクト１００の底部に提供することができる。ボス１１１ａは、ダクト１００の底部から所定の長さで突出することができる。実質的にボス１１１ａは、ダクト１００の底部の両側にそれぞれ備えることができる。ブラケット１１１ｂを、ヒータ１３０の固定のためにボス１１１ａに締結することができる。さらに、ブラケット１１１ｂは、ヒータ１３０のボディ１３１を支持するように構成することができる。ブラケット１１１ｂは、図示のように、ボディ１３１を支持するようにボディ１３１を横切って延び、ボディ１３１を覆うことができる。また、ブラケット１１１ｂは、ボディ１３１の形状に合わせて折れ曲がる折曲部を有し、当該折曲部によって、ボディ１３１が動かないように支持することができる。ブラケット１１１ｂは、ボス１１１ａに締結されるように貫通孔を有し、締結部材及び貫通孔を用いてボス１１１ａに締結される。したがって、ブラケット１１１ｂ及びボス１１１ａの両方を用いる場合、ヒータ１３０を、ダクト１００内でより安定に固定及び支持することができる。また、ボス１１１ａによってダクトの底部と所定の距離だけ離隔するため、ヒータ１３０は、空気流動を円滑にしながら、より多くの空気と接触することができる。ブラケット１１１ｂは、ボディ１３１の熱に耐えるように金属からなることができる。
【００９８】
ヒータ１３０においてスチームを生成するためには、所定量の水が要求される。したがって、ヒータ１３０に水を供給するように、ノズル１５０を更にダクト１００に提供することができる。
【００９９】
一般に、スチームは、液体状態の水を加熱することによって生成される気体相の水（ｖａｐｏｒ  ｐｈａｓｅ  ｏｆ  ｗａｔｅｒ）のことを意味する。すなわち、液体状態の水が臨界温度以上に加熱されると、相変化を通じて気体状態に変わる。反面、ミストは、液体状態の小さな水粒子のことを意味する。すなわち、ミストは、単純に液体状態の水を小さな粒子に分解することによって生成され、相変化や加熱を伴わない。したがって、スチームとミストは、少なくともこれらの相（ｐｈａｓｅ）及び温度において互いに明確に区別され、単に対象物に水分（ｍｏｉｓｔｕｒｅ）を供給できるという能力面においては共通点がある。このようなミストは、小さな粒子からなるため、通常の液体状態の水に比べて広い表面積を有する。したがって、ミストは、容易に熱を吸収し、相変化を通じて高温のスチームに変化することができる。このような理由によって、本発明の洗濯機は、液体状態の水をそのまま供給するアウトレットの代わりに、液体状態の水を小さな粒子に分解できるノズル１５０を水供給の手段として使用することができる。それにもかかわらず、本発明の洗濯機は、少量の水をヒータ１３０に供給する通常のアウトレットを採択してもよい。一方、ノズル１５０に供給される水圧を調節することによって、ノズル１５０は、ミストの代わりに、水、すなわちウォータージェットを供給することもできる。いずれの場合においても、ヒータ１３０は、スチームを発生するのに十分な環境を有しているため、スチームは生成することができる。
【０１００】
スチームの生成のために、水をヒータ１３０に間接的に提供してもよい。例えば、ノズル１５０は、水を、ヒータ１３０ではなく、ダクト１００内の他の空間に供給することができ、当該水を、ブロワ１４０で提供される空気の流動によって、ヒータ１３０へスチーム生成のために移送させることもできる。しかし、移送中に、水はダクト１００の内面にくっつくため、提供された水がすべてヒータ１３０に到達することはできない。また、ヒータ１３０は、前述したように、局部的で且つ直接的な加熱によってスチームの生成に最適の条件を有するため、供給された水を十分にスチームに変換させることができる。
【０１０１】
上述した理由を考慮するとき、効率的なスチームの生成のために、ノズル１５０は、ヒータ１３０に水を直接供給することができる。ここで、ノズル１５０は、ノズル１５０の自己噴射圧によりヒータ１３０へ水を供給することができる。自己噴射圧とは、ノズル１５０に供給される水の水圧であって、ノズル１５０に供給される水の水圧によりノズル１５０から噴射された水は、ヒータに到達できる。すなわち、ノズル１５０から噴射された水は、別途の中間媒体の助けなしに、ノズル１５０から噴射される圧力によりヒータ１３０に噴射される。また、同様の理由によって、ノズル１５０は、ヒータ１３０にだけ水を供給することができる。さらに、ノズル１５０はヒータ１３０にミストを噴射することができる。上記で既に定義されたように、もし、ノズル１５０がヒータ１３０に直接的にミストを噴射すれば、ヒータ１３０に造成された最適の環境を考慮するとき、スチームは、最適のエネルギーを使用しながらも、効果的に生成される。また、このような直接的なミストの噴射がヒータ１３０にだけ行われると、スチームの生成はより効果的になされることができる。
【０１０２】
ノズル１５０は、ヒータ１３０に向かって配向することができる。すなわち、ノズル１５０の排出口は、少なくてもヒータ１３０に向かって配向することができる。このような場合、ヒータ１３０に水が直接供給されるように、ノズル１５０をヒータ１３０の上に配置してもよく、又はヒータ１３０の下に配置してもよい。しかし、ノズル１５０で供給される水（正確には、ミスト）は、図３及び図５に示されたように、水圧により所定の角度で拡散しながら、所定の距離を移動する。反面、洗濯機をコンパクトにするためには、ダクト１００の高さは非常に制限される。すなわち、ヒータ１３０の高さも同様に制限される。したがって、ノズル１５０が、ヒータ１３０の上又は下に配置されると、水は、その拡散角度及び移動距離を考慮するとき、ノズル１５０からヒータ１３０全体に均一に供給されないため、スチームを効率的に生成することができない。同様の理由によって、このような非効率的なスチームの生成は、ノズル１５０がヒータ１３０の両側部に配置される場合にも同様に生じ得る。
【０１０３】
一方、ノズル１５０は、ヒータ１３０の両端、すなわち、領域Ａ、Ｂのいずれか一つに配置されてもよい。前述したように、ブロワ１４０が作動すると、ダクト１００内の空気はブロワ１４０から吐出され、ヒータ１３０を通過する。このような空気流動の方向を考慮すると、領域Ａは、ダクト内の空気流動の方向においてヒータ１３０の前方部又は吸込部に該当し、領域Ｂは、ヒータ１３０の後方部又は排出部に該当することができる。また、領域Ａ及び領域Ｂは、ヒータ１３０の入口及び出口に該当することができる。したがって、ノズル１５０は、ダクト内の空気流動の流れ方向において、ヒータ１３０の前方部又は吸込部（すなわち、領域Ａ）に配置することができる。一方、ノズル１５０は、ダクト内の空気流動の流れ方向において、ヒータ１３０の後方部又は排出部（すなわち、領域Ｂ）に配置することもできる。このように、ノズル１５０が領域Ａ又は領域Ｂに配置される場合にも、ノズル１５０から供給された水のすべてが所定領域Ｓ内に到達することは難しく、一部の水が所定領域Ｓの外に残留することもある。しかし、もし、ノズル１５０が後方部又は排出部Ｂに配置される場合、ヒータ１３０に到達していない水は、後方部又は排出部Ｂの付近にとどまるようになる。したがって、もしブロワ１４０が作動すると、このような水はスチームに変わっていないままタブ３０に供給されることがある。反面、もし、ノズル１５０が前方部又は吸込部Ａに配置される場合、ヒータ１３０に到達していない水は、ブロワ１４０から供給される空気流動によってヒータ１３０に進入することができる。したがって、領域Ａにノズル１５０を配置することによって、供給されたすべての水をスチームに効率的に変化させることができる。このように、効率的なスチームの生成のために、ノズル１５０は、領域Ａ、すなわち、空気流動の流れ方向においてヒータ１３０の前方部又は吸込部に配置することができる。また、ダクト１００内の空気流動の流れ方向の面において、領域Ａに配置されたノズル１５０は、空気流動の流れ方向とほぼ同一の方向に水を供給するようになる反面、領域Ｂに配置されたノズル１５０は、空気流動の流れ方向と反対方向に水を供給するようになる。したがって、上記で論議されたような理由によって、空気流動の流れ方向の観点において、ノズル１５０は、ダクト内の空気流動の流れ方向とほぼ同一の方向にヒータ１３０（ヒータを含む）に水を供給することができる。一方、上記で論議された理由にもかかわらず、必要に応じて、ノズル１５０は、領域Ａ、Ｂ、ヒータ１３０の両側部、ヒータ１３０の上部及び下部のいずれか一つに設置したり、これらのうち２つ以上の部位に設置してもよい。
【０１０４】
上記で論議されたように、効率的な水の供給及びスチームの生成のために、ノズル１５０はヒータ１３０に直接水を供給し、ヒータ１３０に向けるることができる。同一の理由によって、ノズル１５０は、ヒータ１３０にダクト内の空気流動の流れ方向とほぼ同一の方向に水を供給することができる。このような条件をすべて満足させるためには、上記で既に決定されたように、ノズル１５０が、領域Ａ、すなわち、空気流動の流れ方向においてヒータ１３０の前方部又は吸込部に配置されることが最適である。
【０１０５】
上記では、ノズル１５０が空気流動の流れ方向と‘ほぼ’同一の方向に配置されると述べている。ここで、‘ほぼ’は、長方形のダクト１００においてダクト１００の長手方向にノズル１５０の噴射方向が配置されることを意味する。図３で示すように、ダクト１００は、長方形の形状を有し、流線形に形成することができる。ノズル１５０で噴射される水は、噴射圧により直線に噴射され、流線形のダクト１００内で空気の流れは必ず直線ではないこともある。したがって、ノズル１５０で噴射される水は、ダクト１００内の空気の流れ方向と‘完全に’一致しないこともある。したがって、上述した‘ほぼ’は、ダクト１００内の空気の流れ方向とノズル１５０で噴射される水の方向とが少なくとも互いに相反しないことを意味し、より好ましくは、ノズル１５０の噴射方向と空気の流れ方向とがなす角度が９０度未満であることを意味する。より好ましくは、ノズル１５０の噴射方向とダクト１００内の空気の流れ方向は４５度未満であってもよい。
【０１０６】
領域Ａは、ダクト１００の構造的な面において、ヒータ１３０とブロワ１４０との間の領域に該当する。したがって、ノズル１５０は、ダクト１００の構造的な面において、ヒータ１３０とブロワ１４０との間に配置することができる。言い換えると、ノズル１５０は、ヒータ１３０と空気流動の供給源との間に配置することができる。すなわち、ヒータ１３０は、ダクト１００の長手方向の一方に備えられ、ブロワ１４０は、一方と対向するダクト１００の長手方向の他方に備えられる。このとき、ノズル１５０は、ダクト１００の一方に備えられるヒータ１３０と他方に備えられるブロワ１４０との間に位置する。さらに、ノズル１５０は、ヒータ１３０の前方部とブロワ１４０の排出部との間に配置することができる（本明細書において、前方部及び後方部は、ダクト内の空気の流れ方向を基準に説明され、ダクト内の第１地点と第２地点を通過する空気において、先に到達する第１地点が前方部と定義され、以降に到達する第２地点が後方部と定義される）。また、前述したように、ノズル１５０で供給される水は、所定の角度で拡散する。もし、ノズル１５０が、ヒータ１３０、正確にはその吸込部の近くに配置されると、拡散角度を考慮するとき、供給される水の大部分がヒータ１３０の代わりに、ダクト１００の壁面に直接供給される。実際に所定領域Ｓにおいてヒータ１３０が最も高い温度を有するため、供給される水をできるだけ多く所定領域Ｓのヒータ１３０に直接進入及び接触させることが、スチームの生成の効率の増加に有利である。したがって、できるだけ多量の水がヒータ１３０に直接進入できるように、ノズル１５０を、可能な限りヒータ１３０から遠く離れた位置に配置することができる。ノズル１５０がヒータ１３０から離れて配置されると、水の拡散を考慮するとき、供給される水は実質的にヒータ１３０の吸込部、すなわち、入口から全体的に分布することができ、ヒータ１３０の効率的な使用、すなわち、効率的な熱交換及びスチームの生成を達成できる。ノズル１５０がヒータ１３０から離れるほど、ノズル１５０はブロワ１４０に近づくことができる。このような理由によって、ノズル１５０は、ブロワ１４０に近接して配置し、同時にヒータ１３０から所定間隔だけ離隔するように配置することができる。また、ヒータ１３０からできるだけ遠く離隔するように、ノズル１５０を、ブロワ１４０の吐出部に隣接して配置することができる。すなわち、ノズル１５０は、ブロワ１５０を通過した空気が吐出される吐出部に隣接するように設置されることが好ましい。ノズル１５０がブロワ１４０の吐出部に隣接する場合、供給される水は、吐出される空気流動、すなわち、ブロワ１４０の吐出力に直接影響を受けることができ、ヒータ１３０全体と均一に接触するように、より遠く移動することができる。一方、このような空気流動の助けによって、ノズル１５０には高い水圧が加わらず、これによって、ノズル１５０の価格が低下し、使用寿命を増加させることができる。さらに、ブロワ１４０の吐出口に隣接した配置のために、図３及び図５に示されたように、ノズル１５０をブロワハウジング１１３に設置することができる。また、容易な設置及びメンテナンスのために、ノズル１５０を、分離可能な上部ハウジング１１３ｂに設置することができる。図４に示されたように、ノズル１５０の設置のために、上部ハウジング１１３ｂは、ノズル１５０が挿入される孔１１３ｃを有する。ノズル１５０を、ヒータ１３０に向けながら、孔１１３ｃにかん合することができる。
【０１０７】
図６乃至図８を参照すると、ノズル１５０は、ボディ１５１とヘッド１５２からなることができる。ボディ１５１は、孔１１３ｃに挿入されるように、ほぼ円筒形状を有することができる。ノズル１５は、孔１１３ｃに挿入され、水を噴射するヘッド１５２は、ダクト１１０の内部に位置する。ボディ１５１は、半径方向に延びるフランジ１５１ａを有することができる。フランジ１５１ａは、締結孔を有し、これを用いてダクト１００に締結可能である。フランジ１５１ａの強度を補強するために、図６に示すように、リブ１５１ｆをフランジ１５１ａとボディ１５１とを連結するように形成することができる。また、ボディ１５１は、その外周に形成されるリブ１５１ｂを有することができる。リブ１５１ｂは孔１１３ｃのエッジに係止され、ノズル１５１が、ダクト１００、正確には上部ハウジング１１３ｂから分離されることを防止する。リブ１５１ｂは、ノズル１５０の正確な設置位置を決定する役割も果たすことができる。
【０１０８】
ヘッド１５２は、図７及び図８に示すように、その端部に吐出口１５２ａを含むことができる。吐出口１５２ａは、一定の水圧を有する水が供給されると、当該水を小さな粒子、すなわち、ミストに分解するように設計することができる。また、吐出口１５２ａは、供給される水に更に圧力を加えるように設計することができ、これによって、供給される水は所定の角度で拡散し、所定の距離を移動することができる。供給される水の拡散角度（ａ）は、例えば、４０度であってもよい。ヘッド１５２は、半径方向に延びるフランジ１５２ｂを有することができる。同様に、ボディ１５１も、フランジ１５２ｂと対向し、ボディ１５１から半径方向に延びるフランジ１５１ｄを有することができる。もし、ボディ１５１とヘッド１５２がプラスチックからなる場合、これらのフランジ１５２ｂ，１５１ｄは互いに融着（ｍｅｌｔ−ｊｏｉｎｎｉｎｇ）され、これによって、ボディ１５１とヘッド１５２が結合することができる。もし、ボディ１５１及びヘッド１５２がプラスチック以外の材質からなる場合、フランジ１５２ｂ，１５１ｄは締結部材を用いて互いに結合することができる。また、図８に詳しく示されたように、ヘッド１５２は、フランジ１５２ｂに形成されるリブ１５２ｃを有することができ、ボディ１５１は、フランジ１５１ｄに形成される溝１５１ｃを有することができる。リブ１５２ｃは溝１５１ｃに挿入され、ボディ１５１とヘッド１５２との間の接触面積を増加させる。したがって、ボディ１５１とヘッド１５２は互いにより堅固に結合される。また、ノズル１５０、正確にはボディ１５１は、その内部に供給される水を案内する流路１５３を含む。流路１５３は、図７及び図８に示すように、ボディ１５１の端部、すなわち、吐出部かららせん状に延びることができる。水は、らせん状の流路１５３によって渦巻きながら（ｓｗｉｒｌ）、ヘッド１５２に到達し、これによって、より大きい拡散角度及びより長い移動距離を有するようにノズル１５０から排出され得る。
【０１０９】
ヒータ１３０でスチームが生成されると、生成されたスチームは、所望の機能を行うように、タブ３０及びドラム４０だけでなく最終的に洗濯物にまで移送される必要がある。したがって、生成されたスチームを移送するために、ブロワ１４０はヒータ１３０に向かって空気を吹き出すことができる。すなわち、ブロワ１４０は、ヒータ１３０に空気流動を供給することができる。生成されたスチームは、当該空気流動によってダクト１００に沿って移動し、タブ３０、ドラム４０を経て最終的に洗濯物まで到達することができる。言い換えると、ブロワ１４０は、ダクト１００内に空気流動を発生させることによって、生成されたスチームをタブ３０及びドラム４０に供給する。当該スチームは、例えば、洗濯物をリフレッシュしたり、洗濯物を殺菌したり、最適の洗濯環境をつくるなどの所望の機能を行うことができる。
【０１１０】
一方、図９、図１０、図１２、図１４で示すように、ダクト１００は、所定の大きさのリセス１１４を有することができる。リセス１１４は、所定量の水を収容するように構成することができる。このように、所定量の水を収容するために、リセス１１４は、ダクト１００の下部に備えられ、下方に凹入されて所定の空間を形成する。ダクト１００内に残留する水が、空間に集まって収集され得る。より詳しくは、リセス１１４は、ダクト１００の底部に配置することができ、詳細には、乾燥ダクトの下部部材１１１に提供することができる。様々な理由によって、ダクト１００内には水が残留し得る。例えば、ノズル１５０で供給された水の一部はスチームに変更されずにそのままダクト１００内に残留し得る。一方、供給された水は、スチームに変換されたとしても、ダクト１００との熱交換により再び水に凝縮されることもある。また、通常の洗濯物の乾燥中に、空気中に含まれた水分（ｍｏｉｓｔｕｒｅ）もダクト１００との熱交換により凝縮され得る。リセス１１４は、このような残留する水を収集することができる。図１０に明確に示されたように、リセス１１４は、残留する水を容易に収集するために、所定の傾斜を有してもよい。
【０１１１】
リセス１１４は、収容された水を使用してスチームを更に生成することができる。収容された水をスチームに変換するためには加熱が要求される。したがって、リセス１１４は、収容された水がヒータ１３０によって加熱されるように、ヒータ１３０の下に配置することがことができる。すなわち、リセス１１４は、ヒータ１３０の真下に配置されると見なすことができる。さらに、リセス１１４内の空間もヒータ１１０によって加熱されるため、ヒータ１３０は、リセス１１４内の空間まで拡張され得る。すなわち、ヒータ１３０は、図１０に点線で示したように、リセス１１４内の空間を含むことができる。このような構成によって、ノズル１５０で供給された水から発生するスチームに加えて、リセス１１４内の水をヒータ１３０の加熱によりスチームに変換させることができる。したがって、実質的により多くの量のスチームを供給することができ、所望の機能をより効果的に行うことができる。
【０１１２】
より詳細には、図９及び図１１に示すように、ヒータ１３０は、リセス１１４内の水を直接加熱するように構成することができる。このような直接加熱のために、ヒータ１３０の少なくとも一部はリセス１１４内に位置することが好ましい。すなわち、リセス１１４に水が収容されている場合、ヒータ１３０の一部はリセス１１４に収容された水に浸る。すなわち、ヒータ１３０は、リセス１１４内の水と直接的に接触することができる。ヒータ１３０は、様々な方法でリセス１１４内の水に浸ることができるが、図９及び図１１に示すように、ヒータ１３０の一部がリセスに向かって折れ曲がることができる。言い換えると、ヒータ１３０は、リセス１１４内の水に浸る折曲部１３１ａを有することができる。したがって、折曲部１３１ａは、リセス１１４内に位置することが好ましい。このとき、折曲部１３１ａは、ヒータ１３０の自由端に位置することが好ましく、折曲部１３１ａの下側にはリセス１１４が位置する。したがって、リセス１１４は、ヒータ１３０の自由端の下側に配置される。
【０１１３】
一方、図１２乃至図１５に示すように、ヒータ１３０は、リセス１１４内の水を間接的に加熱することができる。例えば、図１２及び図１３に示すように、ヒータ１３０に結合され、ヒータ１３０の熱を伝達する熱伝導部材を含むことができる。熱伝導部材の少なくとも一部はリセス１１４内に位置する。ヒータ１３０は、ヒータ１３０に装着され、リセス１１４内の水に浸るヒートシンク１３３を熱伝導部材として有することができる。ヒートシンク１３３は、図示のように、多数個のフィンを有し、これによって、放熱に適した構造を有する。ヒートシンク１３３の少なくとも一部はリセス１１４内に位置する。したがって、ヒータ１３０の熱は、ヒートシンク１３３を経てリセス１１４内の水に伝達される。また、図１４乃至図１５に示すように、ヒータ１３０は、熱伝導部材として、リセス１１４の底部から延び、ヒータ１３０を支持する支持部１１１ｃを有することができる。前述したように、下部部材１１１は、高い熱伝導性及び強度を有するように金属材質からなることができ、このような場合、支持部１１１ｃも、同一の金属材質で下部部材１１１と一体に形成することができる。支持部１１１ｃは、ヒータ１３０を安定的に支持し、広い伝熱面積を有するために、ヒータ１３０を収容する溝を有することができる。したがって、ヒータ１３０の熱は支持部１１１ｃを経てリセス１１４内の水に伝達される。ヒートシンク１３３及び支持部１１１ｃ、すなわち、加熱部材によって、ヒータ１３０はリセス１１４内の水と間接的に接触するようになる。より詳細には、加熱部材１３３，１１１ｃは、ヒータ１３０とリセス１１４内の水を熱的に接続し、ヒータの熱を用いて水を加熱することができる。
【０１１４】
前述した折曲部１３１ａ及び加熱部材１３３，１１１ｃによって、ヒータ１３０はリセス１１４内の水と直接又は間接的に接触し、水をより効果的に加熱することができる。このような直接的又は間接的な接触のための構造なしにも、ヒータ１３０は、空気を通じた熱伝逹によってリセス１１４内の水を加熱し、スチームを生成することができる。
【０１１５】
上記で図２乃至図１５を参照して説明されたスチーム供給メカニズムを用いてスチームが洗濯機に提供され、例えば、洗濯物のリフレッシュ、洗濯物の殺菌、及び洗濯雰囲気の造成などを行うことができる。また、例えば、スチーム供給のタイミング、スチームの供給量などを適切に制御することによって、他の多くの機能を行うこともできる。このようなすべての機能は洗濯機の基本的な洗濯コース中に行うことができる。一方、洗濯機は、それぞれの機能を行うように最適化された別途のコースを有することができる。当該別途のコースとして、以下では、スチームを用いて洗濯物をリフレッシュするのに最適化されたコースが、図１６乃至図２０を参照して説明される。当該リフレッシュコースを制御するために、本発明の洗濯機は所定の制御装置（ｃｏｎｔｒｏｌｌｅｒ又はｃｏｎｔｒｏｌｌｉｎｇ  ｕｎｉｔ）を含むことができる。制御装置は、後述するリフレッシュコースだけでなく、本発明の洗濯機で実現可能なすべてのコースを制御するように構成することができる。また、当該制御装置によって、前述したスチーム供給メカニズムを含む洗濯機の各部品のすべての作動が行われたり、又は停止され得る。したがって、前述したスチーム供給メカニズムのすべての機能／作動、及び後述する制御方法のすべてのステップは、すべて制御装置の制御下にある。
【０１１６】
まず、リフレッシュコースにおいて、ヒータ１３０が加熱される準備ステップ（Ｓ５）を含むことができる。そして、当該加熱は、多数の装置のうちヒータ１３０によって行うことができる。準備ステップ（Ｓ５）は、基本的にスチームを生成するのに適した高温の環境を作ることができる。すなわち、準備ステップ（Ｓ５）は、スチームを生成するために予め高温の環境をつくるステップである。準備ステップ（Ｓ５）は、以降に説明するスチーム発生ステップ（Ｓ６）の前に行われ、スチーム発生ステップ（Ｓ６）でスチームを発生させるために、予め高温の環境をつくるステップである。
【０１１７】
準備ステップ（Ｓ５）は、ヒータ１３０を用いて、ダクト１００内の空間の一部であるヒータ１３０をダクト内の他の空間の温度よりも高い温度に加熱することができる。また、準備ステップ（Ｓ５）は、スチームの生成に必要な最小限の空間、すなわち、ヒータ１３０だけを加熱するため、非常に短い加熱時間が要求される。したがって、準備ステップ（Ｓ５）は、局部的で且つ直接的な加熱だけでなく瞬間的な加熱を用いるため、エネルギーの使用を最小化することができる。ヒータ１３０の加熱は、所望のスチーム生成のための所定の環境が形成された場合、少なくとも予め設定された準備ステップ（Ｓ５）の一部期間の間に行うことができる。また、好ましくは、ヒータ１３０の加熱は、準備ステップ（Ｓ５）の全期間の間に行うことができる。
【０１１８】
もし、準備ステップ（Ｓ５）の途中に、ヒータ１３０に外部的な変化が与えられる場合、例えば、空気流動がヒータ１３０に与えられる場合、ヒータ１３０から発散される熱は、ダクト１００の他の領域に強制的に移動することができ、そのような他の領域を不必要に加熱することがある。したがって、局部的で且つ瞬間的な加熱が難しくなる。また、スチームの生成に適した環境をヒータ１３０に作るのが難しくなり、エネルギの超過使用を予想し得る。このような理由によって、準備ステップ（Ｓ５）は、ヒータ１３０に対する空気流動の供給なしに行われることが好ましい。すなわち、準備ステップ（Ｓ５）は、空気流動を発生させるブロワ１４０の作動を所定時間の間に停止させる停止ステップを含むことができる。さらに、空気流動がダクトシステム全体にわたって発生する場合、すなわち、ダクト１００、タブ３０及びドラム４０などを通じて空気が循環する場合、前述した結果がより顕著に現れる。したがって、準備ステップ（Ｓ５）は、ダクト１００を用いた空気循環なしに行うことができる。一方、準備ステップ（Ｓ５）が進行する途中、すなわち、完了する前にはヒータ１３０は十分に加熱されないことがある。もし、準備ステップ（Ｓ５）の途中に水がヒータ１３０に供給される場合、多量の水がスチームに変換されず、所望の量のスチームが生成されないことがある。したがって、準備ステップ（Ｓ５）は、ヒータ１３０に対する水の供給なしに行うことができる。すなわち、準備ステップ（Ｓ５）は、水を噴射するノズル１５０の作動を所定時間の間に停止させる停止ステップを含むことができる。空気流動の供給及び／又は水供給の排除を、好ましくは、準備ステップ（Ｓ５）の全期間の間に維持することができる。しかし、これに限定されるものではなく、空気流動の供給及び／又は水供給の排除を、準備ステップ（Ｓ５）の一部期間の間にだけ維持することもできる。
【０１１９】
準備ステップ（Ｓ５）は、スチームを生成するための高温の環境をつくるために、ヒータ１３０の作動は、準備ステップ（Ｓ５）の全期間の間に維持されることが好ましい。加えて、準備ステップ（Ｓ５）の全期間において少なくとも一部期間の間にノズル１５０の作動は停止され、好ましくは、ノズル１５０の作動は、準備ステップ（Ｓ５）の全期間の間に停止される。また、準備ステップ（Ｓ５）の全期間において少なくとも一部期間の間にブロワ１５０の作動は停止される。準備ステップ（Ｓ５）でのブロワ１５０の作動については、後述する第１加熱ステップ（Ｓ５ａ）及び第２加熱ステップ（Ｓ５ｂ）で詳細に説明する。
【０１２０】
空気流動の供給及び水供給の排除は、様々な方法によって行うことができる。しかし、当該排除を行うために、スチーム供給メカニズム、すなわち、ダクト１００内の部品を一次的に制御することができる。部品の制御は、図１７及び図１８Ａ乃至図１８Ｃに更に詳細に図示する。図１７は、全体リフレッシュコースの間の関連部品の作動を矢印を用いて概略的に示す。図１７において矢印は該当部品の作動及びその持続期間を示す。また、図１８Ａ乃至図１８Ｃは、全体リフレッシュコースの間の関連部品の作動を実際時間によって更に詳細に表示する。より詳細には、図１８Ａ乃至図１８Ｃにおいて、“進行時間”での数字は、リフレッシュコースの開始後に進行した全体時間（秒）を表示し、各装置での数字は、該当装置が該当ステップで実際に作動した時間（秒）を表示する。
【０１２１】
例えば、ブロワ１４０は、空気流動及び空気循環を発生させることができる主な部品である。したがって、図１７及び図１８Ｂに示すように、ブロワ１４０は、ヒータ１３０に対する空気流動及び／又は空気循環の供給を排除するために、準備ステップ（Ｓ５）の間の少なくとも一部の区間において停止されてもよい。すなわち、ブロワ１４０は、準備ステップ（Ｓ５）の全期間の間に停止されたり、又は一部期間の間に停止されてもよい。また、前述したように、ノズル１５０は、ダクト１００内で水供給のための主な部品である。したがって、図１７及び図１８Ｂに示すように、ノズル１５０は、ヒータ１３０に対する水供給を避けるために、準備ステップ（Ｓ５）の間に停止されてもよい。ブロワ１４０及びノズル１５０の作動停止は、準備ステップ（Ｓ５）の全期間の間に継続的に維持されることが好ましい。しかし、ブロワ１４０及びノズル１５０の作動停止は、準備ステップ（Ｓ５）の一部期間の間にだけ維持されてもよい。一方、ヒータ１３０は、準備ステップ（Ｓ５）の全期間の間に継続的に作動されてもよい。また、ヒータ１３０は、準備ステップ（Ｓ５）の一部期間の間に作動されてもよい。
【０１２２】
上記で論議されたように、空気流動の供給は、基本的にスチームの生成のための最適の高温環境を形成することを妨害し得る。準備ステップ（Ｓ５）において、このような環境形成が最も重要であるため、準備ステップ（Ｓ５）は、少なくとも空気流動の供給なしに行われることが好ましい。このような理由によって、準備ステップ（Ｓ５）は、少なくともブロワ１４０を停止させるステップを含むことができる。すなわち、準備ステップ（Ｓ５）は、ノズル１５０を作動させながらブロワ１４０を停止させるステップを含むことができる。また、追加的に生成されるスチームの品質を考慮して、準備ステップ（Ｓ５）の少なくとも一部期間は、空気流動の供給だけでなく水供給なしに行うことができる。すなわち、準備ステップ（Ｓ５）は、ブロワ１４０及びノズル１５０の両方を停止させるステップを含むことができる。このとき、ブロワ１４０及びノズル１５０の両方の作動を停止させるステップは、準備ステップ（Ｓ５）の終盤に行うことができる。したがって、準備ステップ（Ｓ５）においてブロワ１４０及びノズル１５０の作動が停止される停止ステップが終了した後に、後述されるスチーム発生ステップを行うことができる。一方、空気流動排除の重要性にもかかわらず、準備ステップ（Ｓ５）は、空気流動の排除なしに（すなわち、空気流動の供給と共に）水供給を排除しながら行われてもよい。したがって、準備ステップ（Ｓ５）は、ブロワ１４０の作動停止なしに（すなわち、ブロワ１４０を作動させながら）ノズル１５０だけを停止させるステップからなってもよい。すなわち、準備ステップ（Ｓ５）は、少なくともノズル１５０を停止させるステップを含むことができる。このとき、ノズル１５０を停止させるステップは、準備ステップ（Ｓ５）の終盤に行うことができる。このようなブロワ１４０及び／又はノズル１５０の選択的な停止中にも、ヒータ１３０は、準備ステップ（Ｓ５）の全期間の間、継続的に作動させてもよい。すなわち、図１７及び図１８Ｂに示すように、スチーム供給メカニズムの主要部品であるヒータ１３０、ブロワ１５０、ノズル１５０のうち、ヒータ１３０だけが準備ステップ（Ｓ５）の間に継続的に作動することができる。それにもかかわらず、ヒータ１３０は、所望のスチームの生成のための所定の環境、すなわち、高温の環境を達成できれば、予め設定された準備ステップ（Ｓ５）の一部期間の間だけ、作動させてもよい。
【０１２３】
準備ステップ（Ｓ５）は、第１設定時間の間に行うことができる。前述したように、準備ステップ（Ｓ５）の第１設定時間の少なくとも一部においてヒータ１３０の作動を維持することができ、好ましくは、第１設定時間の全時間の間にヒータ１３０の作動を維持することができる。図１８Ｂを参照すると、準備ステップ（Ｓ５）は、実際に非常に短い時間である２０秒間行うことができる。しかし、準備ステップ（Ｓ５）は、ヒータ１３０に対してだけ局部的で且つ直接的な加熱を行うため、このような短い時間内にもエネルギーの使用を最小化しながら、ヒータ１３０をスチームの生成に適した高温の環境につくることができる。
【０１２４】
準備ステップ（Ｓ５）が完了すると、加熱されたヒータ１３０に水が供給されるスチーム発生ステップ（Ｓ６）が行われる。このような水供給は、多数の装置のうち、ノズル１５０によってなすことができる。スチーム発生ステップ（Ｓ６）は、ヒータ１３０の予め形成された環境に、スチームの生成のための材料を提供することができる。
【０１２５】
スチームの生成のために、水を、ノズル１５０を用いてヒータ１３０に間接的に提供することができる。また、水の間接的な供給は、ノズル１５０以外の装置、例えば、通常のアウトレットを用いてもよい。例えば、水を、様々な装置を用いて、ヒータ１３０ではなく、ダクト１００内の他の空間に供給し、当該水を、ブロワ１４０で提供される空気流動によって、ヒータ１３０にスチームの生成のために移送することもできる。しかし、このような移送中、水は、ダクト１００の内面にくっつくため、提供された水がすべてヒータ１３０に到達することはできない。反面、ヒータ１３０は、前述したように、準備ステップ（Ｓ５）での直接的な加熱によって、既にスチームの生成に最適の条件を有する。したがって、スチーム発生ステップ（Ｓ６）は、ヒータ１３０に水を直接供給することができる。このような水供給は、所望のように十分な量のスチームが生成されれば、少なくとも予め設定されたスチーム発生ステップ（Ｓ６）の一部期間の間に行うことができる。しかし、好ましくは、水供給は、スチーム発生ステップ（Ｓ６）の全期間の間に行うことができる。また、前述したように、高品質を有する十分な量のスチームの生成は、最適の環境、すなわち、高温の環境の構築を条件とする。したがって、スチーム発生ステップ（Ｓ６）は、準備ステップ（Ｓ５）が所定時間の間、正確には、予め設定された時間の間に行われた後に開始又は行われることが好ましい。すなわち、準備ステップ（Ｓ５）は、スチーム発生ステップ（Ｓ６）の開始の前に予め設定された時間の間に行われる。
【０１２６】
上記で定義されたように、スチームは、液体状態の水を加熱することによって生成される気体相の水を意味する反面、ミストは、液体状態の小さな水粒子を意味する。ミストは、容易に熱を吸収して、相変化を通じて高温のスチームに変化することができる。このような理由によって、スチーム発生ステップ（Ｓ６）は、ヒータ１３０に向かってミストを噴射することができる。上記で既に図６乃至図８を通じて説明したように、ノズル１５０は、ミストを生成し、供給するのに最適に設計することができる。図６乃至図８を通じて説明したように、ノズル１５０は、自己噴射圧によりヒータ１３０に水を噴射するようになる。スチーム発生ステップ（Ｓ６）においてノズル１５０を通じてヒータ１３０に水を噴射するが、ノズル１５０の自己噴射圧によりヒータ１３０に水を噴射することができる。また、スチーム発生ステップ（Ｓ６）は、ブロワ１５０とヒータ１３０との間に備えられたノズル１５０を通じて、ヒータ１３０に水を噴射することができる。また、スチーム発生ステップ（Ｓ６）においてノズル１５０の水噴射は、ダクト内の空気流動の方向とほぼ一致するように噴射して、ミストをヒータ１３０に供給することが好ましい。このようなミストの供給によって、スチーム発生ステップ（Ｓ６）は、ヒータ１３０で十分な量のスチームを効率的に生成することができる。一方、ノズル１５０に供給される水圧を調節することによって、ノズル１５０は、ミストの代わりに、水、すなわち、水流又はウォータージェットを供給することもできる。このような場合においても、ヒータ１３０は、スチームの発生に十分な環境を有しているため、スチームを生成することができる。スチーム発生ステップ（Ｓ６）が進行する途中には、まだ十分な量の水が供給されていないため、所望のように十分な量のスチームが発生しないこともある。もし、スチーム発生ステップ（Ｓ６）の途中に、空気流動がヒータ１３０に供給されると、十分でない量のスチームが、当該空気流動と共にタブ３０に供給され得る。特に、スチーム発生ステップ（Ｓ６）の初期には、供給された水が、空気流動によって飛散して、ヒータ１３０を外れるため、同様に、十分な量のスチームが生成及び供給されない。さらに、供給された水がスチームに変換されるまで所定の時間がかかる。そのため、水供給ステップ（Ｓ６）が進行する途中には、まだ多量の液体状態の水がヒータ１３０内に存在し得る。もし、前述したように、空気流動がスチーム発生ステップ（Ｓ６）中に供給されると、相当の量の液体状態の水がスチームと共に空気流動によって運ばれて、タブ３０に供給され得る。すなわち、スチーム発生ステップ（Ｓ６）での空気流動の供給は、タブ３０に供給されるスチームの品質を低下させることがある。そのため、所望の機能を効果的に行なうことができなくなる。したがって、スチーム発生ステップ（Ｓ６）は、ヒータ１３０に対する空気流動の供給なしに行われるとよい。すなわち、スチーム発生ステップ（Ｓ６）では、ブロワ１４０の作動が停止されることが好ましい。さらに、空気流動が、ダクトシステム全体にわたって発生する場合、すなわち、ダクト１００及びタブ３０を通じて空気が循環する場合、前述した結果がより顕著に現れる。したがって、スチーム発生ステップ（Ｓ６）は、同様の理由によって、空気循環なしに行われるとよい。このような空気流動／空気循環の供給排除（ブロワの作動排除）は、好ましくは、スチーム発生ステップ（Ｓ６）の全期間の間に維持されるが、スチーム発生ステップ（Ｓ６）の一部期間の間にだけ維持されてもよい。
【０１２７】
一方、スチーム発生ステップ（Ｓ６）の間に供給された水は、ヒータ１３０内のエネルギ、すなわち、熱を吸収するため、ヒータ１３０の温度は下がる。このような温度低下は、ヒータ１３０がスチームの生成のための最適の環境になることを妨害することがあり、そのため、多量の液体状態の水の存在によって、十分な量のスチームが生成されず、スチームの品質が低下し得る。したがって、スチームの生成のための最適の環境をスチーム発生ステップ（Ｓ６）の間に継続的に維持するためには、ヒータ１３０に対する加熱がスチーム発生ステップ（Ｓ６）でも行われることが好ましい。このような理由によって、スチーム発生ステップ（Ｓ６）は、ヒータ１３０に対する加熱と共に行うことができる。このような場合、加熱は、少なくともスチーム発生ステップ（Ｓ６）の一部期間の間に行われてもよく、さらに、スチーム発生ステップ（Ｓ６）の全期間の間に行われてもよい。それにもかかわらず、十分にヒータ１３０が加熱されたため、追加的な加熱なしにも、スチーム発生ステップ（Ｓ６）においてスチームはある程度発生し得る。したがって、スチーム発生ステップ（Ｓ６）は、ヒータ１３０の追加的な加熱なしに行うこともできる。
【０１２８】
このような空気流動の供給の排除及び／又は加熱は、様々な方法によって行うことができるが、スチーム供給メカニズム、すなわち、ダクト１００内の部品を制御することによって容易に達成できる。例えば、図１７及び図１８Ｂに示すように、ブロワ１４０は、ヒータ１３０に対する空気流動の供給を防止するために、スチーム発生ステップ（Ｓ６）の間、停止されてもよい。このようなブロワ１４０の作動停止は、好ましくは、スチーム発生ステップ（Ｓ６）の全期間の間、継続的に維持することができる。しかし、当該作動停止をスチーム発生ステップ（Ｓ６）の一部期間の間、維持することもできる。スチーム発生ステップ（Ｓ６）においてブロワ１４０の作動が一部期間の間、維持される場合、ブロワ１４０の作動停止は、スチーム発生ステップ（Ｓ６）の終盤に行われることが好ましい。すなわち、スチーム発生ステップ（Ｓ６）の前半にはブロワ１４０を作動させ、終盤にはブロワ１４０の作動を停止させることができる。また、前述したように、ヒータ１３０は、ヒータ１３０の加熱のための主な部品である。したがって、図１７及び図１８Ｂに示されたように、ヒータ１３０の最適の環境の維持に要求される加熱のために、ヒータ１３０を、スチーム発生ステップ（Ｓ６）の間、作動させることができる。このような場合、ヒータ１３０は、少なくともスチーム発生ステップ（Ｓ６）の一部期間の間、作動させてもよく、また、好ましくは、スチーム発生ステップ（Ｓ６）の全期間の間、作動させてもよい。また、前述したように、追加的な加熱のないスチーム発生ステップ（Ｓ６）のために、ヒータ１３０を、スチーム発生ステップ（Ｓ６）の間、停止させてもよい。このようなヒータ１３０の作動停止を、スチーム発生ステップ（Ｓ６）の全期間の間、継続的に維持することができる。一方、好ましくは、ノズル１５０を、スチーム発生ステップ（Ｓ６）の全期間の間、継続的に作動させることができる。しかし、所望のように十分な量のスチームが生成されれば、ノズル１５０は、スチーム発生ステップ（Ｓ６）の一部期間の間だけ、作動させることもできる。
【０１２９】
上記で論議されたように、空気流動の供給は、基本的に高い品質を有する十分な量のスチームが生成されることを妨害する。スチーム発生ステップ（Ｓ６）においてスチームの生成が最も重要であるため、スチーム発生ステップ（Ｓ６）は、少なくとも空気流動の供給なしに行われることが好ましい。また、スチーム生成環境を考慮して、スチーム発生ステップ（Ｓ６）は、空気流動の供給なしにヒータ１３０の加熱と共に行うことができる。このような理由によって、スチーム発生ステップ（Ｓ６）は、少なくともブロワ１４０を停止させるステップを含むことができる。また、スチーム発生ステップ（Ｓ６）は、ブロワ１４０を停止させる反面、ヒータ１５０を作動させるステップを含むことができる。
【０１３０】
ヒータ１３０の大きさに制限があるため、過度に多い量の水を実質的に長い期間の間に供給すると、当該水はすべてスチームに変換されにくい。したがって、スチーム発生ステップ（Ｓ６）は、第１設定時間よりも短い第２設定時間の間に行うことが好ましい。第２設定時間の一部においてノズル１５０の作動が維持されてもよく、好ましくは、第２設定時間の全時間の間、ノズル１５０の作動が維持される。図１８Ｂに示すように、スチーム発生ステップ（Ｓ６）は、準備ステップ（Ｓ５）よりも短い時間である７秒間行うことができる。このような短い時間の間のスチーム発生ステップ（Ｓ６）によって、適切な量の水がヒータ１３０に供給され、すべてスチームに変換され得る。
【０１３１】
スチーム発生ステップ（Ｓ６）が完了すると、生成されたスチームを移動させるために、ヒータ１３０に向かって空気を吹くことができる（Ｓ７）。すなわち、生成されたスチームがタブ３０に供給されるように、空気流動をヒータ１３０に供給することができる（Ｓ７）。このような空気流動の供給は、多数の装置のうちブロワ１４０を回転させて行うことができる。したがって、スチーム発生ステップ（Ｓ６）の後に行われるスチーム供給ステップ（Ｓ７）は、生成されたスチームをタブ３０に供給するステップである。スチーム供給ステップ（Ｓ７）は、スチーム発生ステップ（Ｓ６）の終了後に行われる。したがって、準備ステップ（Ｓ５）、スチーム発生ステップ（Ｓ６）及びスチーム供給ステップ（Ｓ７）の順に行われ、以前のステップが完了した後、次のステップが行われる。
【０１３２】
生成されたスチームは、このような空気流動によってダクト１００に沿って移動し、一次的にタブ３０に供給される。その後、スチームは、ドラム４０を経て最終的に洗濯物まで到達することができる。当該スチームは、例えば、洗濯物をリフレッシュしたり、洗濯物を殺菌したり、最適の洗濯環境をつくる等の所望の機能を行うことができる。もし、供給された空気流動が、生成されたスチームの全部又はその十分な量をタブ３０に移送できれば、当該空気供給は、スチーム供給ステップ（Ｓ７）の一部期間の間に行うことができる。しかし、好ましくは、空気供給は、スチーム供給ステップ（Ｓ７）の全期間の間に行うことができる。また、前述したように、スチーム供給ステップ（Ｓ７）は、タブ４０に供給できる程度に十分なスチームの生成を条件とする。したがって、スチーム供給ステップ（Ｓ７）は、スチーム発生ステップ（Ｓ６）が所定時間の間、好ましくは、予め設定された時間の間に行われた後に開始されることが好ましい。すなわち、スチーム発生ステップ（Ｓ６）は、スチーム供給ステップ（Ｓ７）の開始の前に予め設定された時間の間に行われる。また、スチーム発生ステップ（Ｓ６）が、準備ステップ（Ｓ５）が所定時間の間に行われた後に開始されるため、スチーム供給ステップ（Ｓ７）は、準備ステップ（Ｓ５）及びスチーム発生ステップ（Ｓ６）が所定時間の間に行われた後に開始される。
【０１３３】
一方、タブ３０／ドラム４０及びその内部の空気は、供給されるスチームに比べて相対的に低い温度を有する。供給されたスチームは、タブ３０／ドラム４０及びその内部の空気と熱交換をして水に凝縮させることができる。そのため、スチーム供給ステップ（Ｓ７）の間、生成されたスチームの一定量は移送される途中に失われ、洗濯物に到達することができない。さらに、十分な量のスチームが洗濯物に提供されないため、所望の効果を得られない。このような理由によって、スチームを継続的に生成するために、スチーム供給ステップ（Ｓ７）の間にヒータ１３０に対する水供給を行うことができる。すなわち、スチーム供給ステップ（Ｓ７）は、ヒータ１３０に対する水供給と共に行うことができる。このような場合、スチームが、スチーム発生ステップ（Ｓ６）に加えて、スチーム供給ステップ（Ｓ７）でも継続的に発生し、これによって、短時間内に、移送中のスチームの損失を十分に補充できる程度のスチームを準備することができる。したがって、移送中の損失にもかかわらず、洗濯機は、ドア２０を介して使用者に見られる程の十分な量のスチームを洗濯物に提供することができる。したがって、スチームによって所望の効果を確実に得ることができる。このような水供給は、スチーム供給ステップ（Ｓ７）の少なくとも一部期間の間に行うことができ、好ましくは、より多いスチームの生成のために、スチーム供給ステップ（Ｓ７）の全期間の間に行うこともできる。スチーム供給ステップ（Ｓ７）の少なくとも一部期間の間に水供給がなされる場合、水供給は、スチーム供給ステップ（Ｓ７）の終盤に行われることが好ましい。
【０１３４】
また、スチーム供給ステップ（Ｓ７）の間に供給された水は、スチームに変換されながらヒータ１３０内の熱を吸収するため、温度の低下は、ヒータ１３０がスチームの生成のための最適の環境になることを妨害することがある。したがって、スチームの生成のための最適の環境をスチーム供給ステップ（Ｓ７）の間に継続的に維持するためには、ヒータ１３０に対する加熱がスチーム供給ステップ（Ｓ７）でも行われることが好ましい。このような理由によって、スチーム供給ステップ（Ｓ７）は、ヒータ１３０に対する加熱と共に行うことができる。当該加熱によって最適の環境が継続的に維持されるため、スチーム供給ステップ（Ｓ７）でのスチームの生成を、所望の超過的な量のスチームを得るように、より安定的に行うことができる。このような場合、加熱は、スチーム供給ステップ（Ｓ７）の少なくとも一部期間の間、行うことができ、好ましくは、スチーム生成の最適の環境の継続的な維持のために、スチーム供給ステップ（Ｓ７）の全期間の間、行うことができる。スチーム供給ステップ（Ｓ７）において水供給（ノズルの作動）がなされる場合、ヒータ１３０の作動は従属的になされることが好ましい。すなわち、スチーム供給ステップ（Ｓ７）がノズル１５０及びヒータ１３０の作動を含む場合、ノズル１５０の作動及びヒータ１３０の作動は同時に行われることが好ましい。
【０１３５】
このような水供給及び／又は加熱は、様々な方法によって行うことができるが、スチーム供給メカニズム、すなわち、ダクト１００内の部品を制御することによって容易に達成できる。例えば、ノズル１５０及びヒータ１３０は、水供給及び加熱のために、少なくともスチーム供給ステップ（Ｓ７）の一部期間の間、作動させてもよい。この場合、ノズル１５０及びヒータ１３０の作動は、スチーム供給ステップ（Ｓ７）の終盤に行われることが好ましい。しかし、図１７及び図１８Ｂに示すように、ノズル１５０及びヒータ１３０の作動を、好ましくは、超過的なスチームの生成及びそのための最適の環境の維持のために、スチーム供給ステップ（Ｓ７）の全期間の間、継続的に維持することができる。
【０１３６】
一方、図１７及び図１８Ｂに示すように、ブロワ１４０は、スチーム供給ステップ（Ｓ７）の全期間の間、継続的に作動させてもよい。さらに、ブロワ１４０は、図１８Ｂに示すように、スチーム供給ステップ（Ｓ７）を超えて追加的な時間の間（例えば、図１８Ｂでは１秒）、作動させてもよい。すなわち、休止ステップ（Ｓ８）の初期に、所定時間（例えば、１秒）の間、ブロワ１４０を作動させてもよい。このような追加的な作動は、ダクト１００内に残留するスチームをすべて排出するのにおいて有利である。それにもかかわらず、ブロワ１４０は、供給された空気流動が、生成されたスチームの全部又はその十分な量をタブ３０に移送できれば、スチーム供給ステップ（Ｓ７）の一部期間の間だけ、作動させることもできる。
【０１３７】
図６乃至図８を参照して説明したように、ノズル１５０は、自己噴射圧によりヒータ１３０に水を噴射するようになる。スチーム供給ステップ（Ｓ７）においてノズル１５０を通じてヒータ１３０に水を噴射するが、ノズル１５０の自己噴射圧によりヒータ１３０に水を噴射することができる。また、スチーム供給ステップ（Ｓ７）は、ブロワ１５０とヒータ１３０との間に備えられたノズル１５０を通じてヒータ１３０に水を噴射することができる。また、スチーム供給ステップ（Ｓ７）においてノズル１５０の水噴射は、ダクト内の空気流動の方向とほぼ一致するように噴射して、ミストをヒータ１３０に供給することが好ましい。
【０１３８】
以上で説明したスチーム供給ステップ（Ｓ７）は、基本的に、スチーム発生ステップ（Ｓ６）において生成されたスチームをタブに供給するために、ダクト１００内に空気流動を発生させることを前提とするステップである。したがって、ブロワ１４０の作動は、スチーム供給ステップ（Ｓ７）の少なくとも一部区間において維持され、好ましくは、全区間においてブロワ１４０の作動が維持される。加えて、スチーム供給ステップ（Ｓ７）において、ヒータ１３０の作動とノズル１５０の作動とは選択的になすことができる。ヒータ１３０及びノズル１５０の作動が選択的になされるため、スチーム供給ステップ（Ｓ７）において、ノズル１５０の作動だけが維持（ヒータの作動を排除）されたり、ヒータ１３０の作動だけが維持（ブロワの作動を排除）されたり、ヒータ１３０及びノズル１５０の作動が同時に維持されてもよい。前述したように、ヒータ１３０は、スチーム供給ステップ（Ｓ７）の少なくとも一部区間において作動が維持され、好ましくは、全区間においてヒータ１３０の作動が維持される。また、ノズル１５０は、スチーム供給ステップ（Ｓ７）の少なくとも一部区間において作動が維持され、好ましくは、全区間においてノズル１５０の作動が維持される。
【０１３９】
ヒータ１３０及びノズル１５０の作動が同時に行なわれる場合、スチーム供給ステップ（Ｓ７）は、ブロワ１４０、ヒータ１３０及びノズル１５０の作動が同時に行われるといえる。このとき、ブロワ１４０、ヒータ１３０及びノズル１５０の作動は、スチーム供給ステップ（Ｓ７）の少なくとも一部区間において行われ、好ましくは、スチーム供給ステップ（Ｓ７）の全区間において行われる。仮に、ブロワ１４０、ヒータ１３０及びノズル１５０の作動がスチーム供給ステップ（Ｓ７）の一部区間において行われる場合、同時作動は、スチーム供給ステップ（Ｓ７）の終盤に行われることが好ましい。
【０１４０】
一方、スチーム供給ステップ（Ｓ７）で供給されるスチームによって、タブ３０内には水が生成され得る。例えば、タブ３０／ドラム４０及びその内部の空気は、供給されるスチームに比べて相対的に低い温度を有する。したがって、供給されたスチームは、タブ３０／ドラム４０及びその内部の空気と熱交換をして水に凝縮されることがある。また、スチーム発生ステップ（Ｓ６）においても、生成されたスチームはダクト１００内で熱交換によって凝縮されることがあり、当該凝縮された水は、再び空気流動によってタブ３０に供給され得る。したがって、凝縮された水は、最終的にタブ３０内に集めることができる。もし、図２に示されたように、サンプ３３がタブ３０に提供される場合、凝縮された水はサンプ３３に集めることができる。当該凝縮された水は、洗濯物を再び濡らし、スチームの供給による所望の機能を妨害することがある。このような理由によって、スチーム発生及びスチーム供給ステップＳ６、Ｓ７の間にスチームの供給によって生成された水を、タブ３０から排出することができる。当該水の排出のために、図１７及び図１８Ｂに示されたように、排水ポンプ９０が作動することができる。排水ポンプ９０が作動すると、サンプ３３に存在する水は、排水口３３ｂ及び排水管９１を経て洗濯機の外部に排出される。当該水の排出は、スチーム発生及びスチーム供給ステップＳ６、Ｓ７の全期間の間、行うことができる。また、もし、水が迅速に排出されれば、水の排出は、スチーム発生及びスチーム供給ステップＳ６、Ｓ７の一部期間の間だけ行うこともできる。同様に、排水ポンプ９０も、スチーム発生及びスチーム供給ステップＳ６、Ｓ７の全期間の間、作動させたり、又はその一部期間の間、作動させたりしてもよい。
【０１４１】
ヒータ１３０の大きさには制限があるため、ヒータ１３０内に生成されたすべてのスチームをタブ３０に供給するには長い時間を必要としない。したがって、スチーム供給ステップ（Ｓ７）は、第２設定時間よりも短い第３設定時間の間、行うことができる。第３設定時間の少なくとも一部においてヒータ１３０、ノズル１５０及びブロワ１４０の作動が維持されてもよく、好ましくは、第３設定時間の全時間の間、構成１３０，１４０，１５０の作動が維持される。ノズル１５０の作動時間だけを基準にして説明すると、スチーム発生ステップ（Ｓ６）のノズルの作動時間は、スチーム供給ステップ（Ｓ７）のノズルの作動時間よりも長く設定される。このとき、スチーム供給ステップのノズルの作動時間は、スチーム発生ステップのノズルの作動時間の１／２〜１／４であってもよく、好ましくは、１／２〜１／３であってもよい。図１７及び図１８Ｂに示されたように、スチーム供給ステップ（Ｓ７）は、スチーム発生ステップ（Ｓ６）よりも短い時間である３秒間行うことができる。ステップ（Ｓ５〜Ｓ７）は、前述したように、各ステップでの所望の機能をそれぞれ効率的に行うため、これらの実行時間は、図１８Ｂに示されたように次第に減少させることができ、これによって、エネルギーの使用も最小化される。
【０１４２】
前述したように、ヒータ１３０は、ステップ（Ｓ５〜Ｓ７）の全期間の間、連続的に作動することができる。しかし、当該連続的な作動によって、ヒータ１３０が過熱することもある。したがって、ヒータ１３０の過熱を防止するために、ヒータ１３０の温度を直接制御することができる。例えば、ダクト１００内の空気温度又はヒータ１３０の温度が８５℃まで上昇すると、ヒータ１３０が停止される。一方、ダクト１００内の空気の温度又はヒータ１３０の温度が７０℃まで下降すると、ヒータ１３０は再び作動する。
【０１４３】
一方、スチーム供給ステップ（Ｓ７）において、生成されたスチームを効果的にタブ３０まで移送するためには、十分な空気流動がヒータ１３０に供給されなければならない。このような十分な空気流動は、実際にブロワ１４０が所定の回転数以上に回転するときに発生させることができ、ブロワ１４０が適正回転数に到達するまではある程度の時間を必要とする。特に、ブロワ１４０が完全に停止した状態から回転を開始するまでは最も長い時間が必要とされる。しかし、スチーム供給ステップ（Ｓ７）は、他の関連ステップを考慮して、相対的に短い時間の間に行われるように最適に設定されるため、ブロワ１４０が適正な回転数下で作動される時間は、スチーム供給ステップ（Ｓ７）の期間より更に短くなることがある。したがって、スチーム供給ステップ（Ｓ７）の間に十分な空気流動が供給されず、そのため、生成されたスチームの効果的な移送もできなくなることもある。このような理由によって、ステップ（Ｓ７）の間にブロワ１４０の最大の性能を確保するために、スチーム供給ステップ（Ｓ７）の前に、ブロワ１４０は、予備的に回転、すなわち、作動させてもよい。ブロワ１４０を供給ステップ（Ｓ７）の前に予め回転させたときは、ブロワ１４０の回転の間にスチーム供給ステップ（Ｓ７）を開始し得る。したがって、スチーム供給ステップ（Ｓ７）の初期に、ブロワ１４０の回転数は適正な回転数まで直ちに増加させることができ、継続的に十分な空気流動を供給することができる。
【０１４４】
このようなブロワ１４０の予備回転は、スチーム発生ステップ（Ｓ６）で行われてもよい。しかし、上記で論議されたように、スチーム発生ステップ（Ｓ６）での空気流動の供給は、スチームの量及び品質の低下をもたらすため、好ましくない。したがって、ブロワ１４０の予備回転は、準備ステップ（Ｓ５）で行うことができる。すなわち、図１７及び図１８Ｂに示されたように、準備ステップ（Ｓ５）は、所定時間の間にブロワ１４０を回転させる、すなわち、作動させるステップを更に含むことができる。また、準備ステップ（Ｓ５）での空気流動の供給は、スチームの生成には直接的な影響を与えないが、局部的な加熱を妨害するためエネルギーの消費を増加させることがある。したがって、ブロワ１４０の作動は、準備ステップ（Ｓ５）の一部期間の間にだけ行うことができる。さらに、スチーム発生ステップ（Ｓ６）の間はブロワ１４０が作動しないため、ブロワ１４０が準備ステップ（Ｓ５）の初期にだけ回転するとき、ブロワ１４０は、慣性によってもスチーム供給ステップ（Ｓ７）まで回転を継続的に維持することができない。したがって、ブロワの作動ステップは、図１７及び図１８Ｂにも明確に示されたように、準備ステップ（Ｓ５）の終盤に行われる。好ましくは、作動ステップは、準備ステップ（Ｓ５）の終盤にだけ行われる。
【０１４５】
前述したように、準備ステップ（Ｓ５）でさえ空気流動の供給は好ましくないため、作動ステップは、ブロワ１４０を非常に制限的に作動させる。実際に作動ステップにおいて、ブロワ１４０は、動力により回転されるように所定時間の間だけターンオンされる。所定時間が満了すると、ブロワ１４０は直ちにターンオフされ、単純に慣性によって回転を維持する。また、ターンオンされる所定期間の間、ブロワ１４０は低い回転数で回転される。このようなブロワの作動に基づいて、準備ステップ（Ｓ５）は、第１加熱を行うステップ（Ｓ５ａ）と第２加熱を行うステップ（Ｓ５ｂ）とに区別できる。図１７及び図１８Ｂに示されたように、第１準備ステップ（Ｓ５ａ）は、準備ステップ（Ｓ５）の序盤に該当し、いかなるブロワ１４０の作動も含まない。したがって、第１加熱ステップ（Ｓ５ａ）は、水供給及び空気流動の供給なしにヒータ１３０だけを加熱する。また、第２加熱ステップ（Ｓ５ｂ）は、準備ステップ（Ｓ５）の終盤に該当し、上記で説明したようなブロワ１４０の作動ステップを含む。したがって、第２加熱ステップ（Ｓ５ｂ）は、ブロワ１４０を作動させながらヒータ１３０を加熱する。より詳細には、所定期間の間に、すなわち、第２加熱ステップ（Ｓ５ｂ）の間に、ブロワ１４０は動力によって回転されるようにターンオンされる。すなわち、第２加熱ステップ（Ｓ５ｂ）においてヒータ１３０に対する空気流動が供給されることもある。しかし、前述したように、ブロワ１４０は、低い回転数で作動するため、ヒータ１３０の加熱に対する空気流動の悪影響は最小化される。一方、図１７及び図１８Ｂに示されたように、ブロワ１４０は、第２加熱ステップ（Ｓ５ｂ）の全期間の間、継続的に作動させ得る。さらに、ブロワ１４０は、図１８Ｂに示されたように、制御上の理由によって、第２加熱ステップ（Ｓ５ｂ）を超えて追加的な時間の間（例えば、図１８Ｂでは１秒）、作動させてもよい。その後、第２加熱ステップ（Ｓ５ｂ）の終了時、ブロワ１４０は直ちにターンオフされる。ターンオフされると、ブロワ１４０は、スチーム発生ステップ（Ｓ６）の間、慣性によって回転する。したがって、スチーム発生ステップ（Ｓ６）の間、ブロワ１４０が非常に低い回転数で回転するため、いかなる実質的な空気流動もヒータ１３０に供給されない。ブロワ１４０の慣性回転はスチーム供給ステップ（Ｓ７）まで延び、スチーム供給ステップ（Ｓ７）が開始されるとき、ブロワ１４０は依然として低い回転数下でも回転を維持する。したがって、スチーム供給ステップ（Ｓ７）の初期に、ブロワ１４０の停止から回転開始までの時間が節約され、ブロワ１４０の回転数は、適正な回転数まで直ちに増加することができる。したがって、スチーム供給ステップ（Ｓ７）の全期間の間、継続的に十分な空気流動を供給することができ、生成されたスチームも効果的に移送することができる。
【０１４６】
前述した作動ステップが行われると、ブロワ１４０が作動し、空気流動が供給されるため、作動ステップを伴う準備ステップ（Ｓ５）は、ヒータ１３０に対する水供給及びノズル１５０の作動なしに行われる。また、ブロワ１４０は、作動ステップで低い回転数で回転するため、ダクト１００を通じた空気の循環は発生しない。したがって、準備ステップ（Ｓ５）は、ブロワの作動ステップが行われる場合にも、ダクト１００を通じた空気の循環なしに行うことができる。すなわち、作動ステップが行われるとしても、これは、準備ステップ（Ｓ５）での局部的な加熱及びスチーム生成の環境の造成に大きく影響を及ぼさない。また、スチーム供給ステップ（Ｓ７）が、ブロワの作動ステップなしにも効率的に所望の量のスチームを供給できるとき、当該作動ステップは排除されることが好ましい。既に上記で論議されたように、いずれの場合においても、準備ステップ（Ｓ５）は、水供給及び空気流動の供給なしに行われることが最も効果的である。すなわち、ブロワ作動ステップは、選択的であり、必ず必要なものではない。
【０１４７】
前述したように、準備ステップ（Ｓ５）、スチーム発生ステップ（Ｓ６）及びスチーム供給ステップ（Ｓ７）はスチームの供給のために機能的に互いにつながっている。したがって、図１６、図１７及び図１８Ｂに示されたように、これらのステップ（Ｓ５〜Ｓ７）は、その機能的な面において一つのプロセス、すなわちスチーム供給プロセスＰ２を形成する。リフレッシュ効果、すなわち、シワ、静電気、臭いなどの除去は、十分な量のスチームの供給だけでも達成できる。前述したように、スチーム供給プロセスＰ２は、既に十分な量のスチームを発生することができるため、スチーム供給プロセスＰ２は、後述する追加的なステップなしでも単独で所望のリフレッシュ機能を行うことができる。また、ステップ（Ｓ５〜Ｓ７）のセット、すなわち、スチーム供給プロセスは、多数回繰り返してもよく、これによって、より多くのスチームが、リフレッシュ効果を極大化するように継続的にタブ３０に供給され得る。図１８Ｂで説明したように、スチーム供給プロセスＰ２は、好ましくは、１２回繰り返すことができる。また、必要に応じて、スチーム供給プロセスＰ２は、１３〜１４回又はそれ以上の回数で繰り返してもよい。スチーム供給プロセスＰ２を１回行うのに３０秒がかかるため、これを１２回行う場合、３６０秒程度がかかる。しかし、当該プロセスＰ２を繰り返す途中に、少しの遅延が発生することもあり、制御の目的で追加的な遅延が発生することもある。したがって、スチーム供給プロセスＰ２に後続するステップは、正確に３６０秒後に開始されないこともある。
【０１４８】
以上で説明したステップ（Ｓ５、Ｓ６、Ｓ７）をヒータ１３０、ブロワ１４０及びノズル１５０の作動有無を基準に説明すると、次の通りである。
【０１４９】
ヒータ１３０は、準備ステップ（Ｓ５）、スチーム発生ステップ（Ｓ６）、スチーム供給ステップ（Ｓ７）の全区間において作動することができる。しかし、上記の各ステップの説明でのように、一部のステップ又は一部のステップの少なくとも一部区間において、ヒータの作動が断続的に維持されたり、作動が停止され得る。
【０１５０】
ブロワ１４０は、スチーム供給ステップ（Ｓ７）の少なくとも一部区間において作動することができ、好ましくは、スチーム供給ステップ（Ｓ７）の全区間において作動する。加えて、スチーム供給ステップ（Ｓ７）においてブロワ１４０の作動をより迅速にするために、準備ステップ（Ｓ５）の少なくとも一部区間、好ましくは、準備ステップ（Ｓ５）の終盤にブロワ１４０の作動を所定時間の間、維持することができる。また、スチーム発生ステップ（Ｓ６）では、ブロワ１４０の作動は停止されることが好ましい。
【０１５１】
ノズル１５０は、スチーム発生ステップ（Ｓ６）の少なくとも一部区間において作動することができ、好ましくは、スチーム発生ステップ（Ｓ６）の全区間において作動する。ノズル１５０の作動は、ヒータ１３０への水噴射を誘導するため、スチームを発生するための環境をつくる準備ステップ（Ｓ５）では、ノズル１５０の作動は停止されることが好ましい。一方、ノズル１５０は、スチーム供給ステップ（Ｓ７）の少なくとも一部区間において作動することができ、好ましくは、スチーム供給ステップ（Ｓ７）の全区間において作動する。スチーム供給ステップ（Ｓ７）は、生成されたスチームをタブに供給するステップであるが、十分な量のスチームを発生させ、生成されたスチームがタブに供給される現象を可視化するために、スチーム供給ステップ（Ｓ７）の少なくとも一部区間において、ヒータ、ノズル及びブロワが同時に作動することができ、好ましくは、スチーム供給ステップ（Ｓ７）の全区間においてヒータ、ノズル及びブロワが同時に作動することができる。
【０１５２】
ブロワ１４０の作動が排除された状態でノズル１５０を作動させてスチームを生成するスチーム供給ステップ（Ｓ６）において発生されたスチームは、ダクト１００、タブ３０及びドラム４０が高温に維持された環境では飽和して使用者の目に見えない。したがって、スチーム供給ステップ（Ｓ６）の後にブロワ１４０だけを作動させ、発生されたスチームをドラム４０に供給する場合、透明なドアガラスを通じてドラム４０の内部を見ても、供給されたスチームが目に見えない。したがって、使用者は、スチームの供給を確認できないため、製品の信頼性に疑問を持つことがある。
【０１５３】
しかし、本発明でのように、スチーム供給ステップ（Ｓ７）においてノズル１５０及びヒータ１３０を作動させて、追加的にスチームを生成しながらブロワ１５０を作動させる場合、ダクト１００及びドラム４０（タブを含む）の環境が相対的に低温に維持され、発生されたスチームの少なくとも一部が凝縮されてスチームが可視化される。すなわち、ノズル１５０、ヒータ１３０及びブロワ１５０の同時作動は、相対的に低温環境を生成して、発生されたスチームを可視化する助けになる。したがって、スチーム供給ステップ（Ｓ７）を通じて供給されたスチームは、透明なドアガラスを通じて使用者が目で確認することができる。したがって、使用者にスチームの供給を確認させることで、製品の信頼性を付与することができる。
【０１５４】
一方、もし、スチーム供給メカニズムを含んで洗濯機自体が予めスチーム供給に適するように用意されれば、スチーム供給プロセス（Ｐ２、Ｓ５〜Ｓ７）をより効率的に行うことができる。以下では、このような準備のための前処理ステップについて説明する。前処理ステップ及び既に説明されたステップ（Ｓ５〜Ｓ７）だけでなく、以降に説明されるすべてのステップにおいて、仮に、いずれの機能が行われたり、排除されると説明される場合、これは、基本的にそのような機能及び機能の排除が該当のステップの予め設定された全期間の間、維持されることを意味することができ、一方、該当のステップの一部期間の間、維持されることも含む。同様に、同一の論理が、そのような機能に関連する部品を作動させたり、停止させたりすると説明される場合にも適用される。また、仮に、いずれの機能及び／又は部品の作動が、後続するそれぞれのステップにおいて言及されない場合、これは、該当のステップにおいて当該機能が行われず、部品が作動しないこと、すなわち、停止するということを意味することができる。既に上記で言及したように、上述した論理は、本発明に関連して説明されるすべてのステップにおいて共通して適用可能である。
【０１５５】
後述する前処理ステップとして、電圧感知ステップ（Ｓ１）、ヒータ清掃ステップ（Ｓ２）、残水排出ステップ（Ｓ３）、予備加熱ステップ（Ｓ４）、給水量判断ステップ（Ｓ１２）を含むことができ、ステップ（Ｓ１、Ｓ２、Ｓ３、Ｓ４、Ｓ１２）は、スチーム供給プロセスＰ２の前に行われる点において共通し、ステップ（Ｓ１、Ｓ２、Ｓ３、Ｓ４、Ｓ１２）のうち一部だけが選択的にスチーム供給プロセスＰ２の前に行われてもよい。また、ステップ（Ｓ１、Ｓ２、Ｓ３、Ｓ４、Ｓ１２）のうち少なくとも２つ以上が、スチーム供給プロセスＰ２の前に行われる場合、少なくとも２つ以上の前処理ステップの実行順序は、洗濯機の作動環境に応じて変更可能である。
【０１５６】
以下の説明において、便宜上、前処理ステップ（Ｓ１、Ｓ２、Ｓ３、Ｓ４、Ｓ１２）のうち電圧感知ステップ（Ｓ１）、ヒータ清掃ステップ（Ｓ２）、残水排出ステップ（Ｓ３）を前処理プロセスＰ１と定義し、給水量判断ステップ（Ｓ１２）を点検プロセスＰ６と定義する。
【０１５７】
まず、前処理ステップとして、準備ステップ（Ｓ５）に先立ち、ダクト１００を予備的に加熱することができる（Ｓ４）。予備加熱ステップ（Ｓ４）は、様々な方法によって行うことができるが、ダクト１００及びそれに連結されたタブ３０において高温の空気を循環させることによって行うことができる。また、このような空気の循環は、スチーム供給メカニズムを形成するダクト１００内の部品を用いて容易に達成することができる。例えば、図１７及び図１８Ａを参照すると、高温の空気を循環させるために、ブロワ１４０とヒータ１３０が作動される。ヒータ１３０が熱を発散すると、当該熱は、ブロワ１４０で提供された空気流動によってダクト１００に沿って移動する。当該熱は、空気流動と共に循環しながら、空気だけでなく隣接した部品なども加熱することができる。より詳細には、循環する熱と空気流動は、ダクト１００（スチーム供給メカニズムを含む）だけでなく、タブ３０とドラム４０自体とこれらの内部の空気を全体的に加熱することができる。すなわち、準備ステップ（Ｓ５）が、ヒータ１３０を用いてヒータ１３０だけを局部的に加熱する反面、予備加熱ステップ（Ｓ４）は、ダクト１００及びその内部部品を含んで、タブ３０及びドラム４０のような洗濯機システム全体を実質的に加熱することができる。また、準備ステップ（Ｓ５）が、ヒータ１３０を直接的に加熱する反面、予備加熱ステップ（Ｓ４）は、空気の循環を用いるため、洗濯機システム全体を間接的に加熱することができる。図１７及び図１８Ａに示されたように、ブロワ１４０及びヒータ１３０は、予備加熱ステップ（Ｓ４）の全期間の間、継続的に作動させ得る。一方、ブロワ１４０は、図１８Ａに示されたように、制御上の理由によって、予備加熱ステップ（Ｓ４）を超えて追加的な時間の間（例えば、図１８Ａでは１秒）、作動させてもよい。すなわち、後述する給水量判断ステップ（Ｓ１２）の初期に所定時間の（例えば、１秒）間、作動させることができる。
【０１５８】
前述したように、予備加熱ステップ（Ｓ４）によってダクト１００全体が一次的に加熱されるため、スチーム供給プロセス（Ｐ２、Ｓ５〜Ｓ７）によって提供されるスチームが、タブ３０及びドラム４０に到達する前にダクト１００内で凝縮されることをある程度防止できる。また、予備加熱ステップ（Ｓ４）は、タブ３０及びドラム４０も全体的に加熱するため、提供されるスチームがタブ３０及びドラム４０内で凝縮されることを抑制できる。したがって、不必要な損失なしに、十分な量のスチームが供給されるため、所望の機能を効果的に行うことができる。予備加熱ステップ（Ｓ４）は、図１７及び図１８Ａに示されたように、例えば、５０秒間行うことができる。
【０１５９】
また、前述したように、洗濯機、詳細には、ダクト１００、タブ３０及びドラム４０内に残留する水は、スチームの供給による所望の機能を妨害することがある。また、残留する水は、供給されたスチームの急凝縮を誘導し、洗濯物を再び濡らすこともある。このような理由によって、洗濯機内に残留する水を、洗濯機の外部に排出することができる（Ｓ３）。排出ステップ（Ｓ３）は、準備ステップ（Ｓ５）の前にいつでも行うことができる。しかし、洗濯機の内部に存在する水は、供給される高温の空気と熱交換をして、予備加熱ステップ（Ｓ４）の効率を低下させることがある。したがって、排出ステップ（Ｓ３）は、図１７及び図１８Ａに示されたように、予備加熱ステップ（Ｓ４）の前に行うことができる。排出ステップ（Ｓ３）を行うために、排水ポンプ９０を作動させることができる。排水ポンプ９０が作動されると、タブ３０内の水は、排水口３３ｂ及び排水管９１を経て洗濯機の外部に排出される。また、このような水の排出を促進するために、排出ステップ（Ｓ３）の間に、加熱されていない空気を循環させることができる。加熱されていない空気の循環のために、循環ステップの間に、ヒータ１３０の作動なしにブロワ１４０だけを所定時間（例えば、３秒）の間、作動させることができる（図１７及び図１８Ａ参照）。このとき、ブロワ１４０の作動は、排出ステップ（Ｓ３）の終盤に行われることが好ましい。すなわち、排出ステップ（Ｓ３）は、排水ポンプ９０の作動中にブロワ１４０の作動を開始することができ、排水ポンプ９０の作動を停止しながら排出ステップ（Ｓ３）は終了する。循環ステップにおいて、加熱されていない空気、すなわち、常温の空気は、ダクト１００、タブ３０及びドラム４０を経て循環しながら、これらの内部に既に存在する水を移動させ、最終的にタブ３０、詳細には、タブ３０の底部に集まる。図２に示されたように、サンプ３３がタブ３０の底部に提供される場合、残留する水はすべてサンプ３３に集めることができる。実質的に、ダクト１００内に残留する水は、単純に排水ポンプ９０の作動によって排出できない。しかし、空気循環を用いることによって、ダクト１００内の水も除去されるように移動させることができる。したがって、このような循環ステップによって、残留する水をより効果的に排出することができる。このような排出ステップ（Ｓ３）は、図１７及び図１８Ａに示されたように、例えば、１５秒間行うことができる。
【０１６０】
また、洗濯機の作動が繰り返される間に、ヒータ１３０の表面にはリントなどの不純物が付着することがあり、当該不純物は、ヒータ１３０の作動を妨害する。このような理由によって、準備ステップ（Ｓ５）に先立ち、ヒータ１３０の表面を清掃することができる（Ｓ２）。清掃ステップ（Ｓ２）は、準備ステップ（Ｓ５）の前にいつでも行うことができる。しかし、清掃ステップ（Ｓ２）は、ヒータ１３０の効率的で且つ迅速な清掃のために一定量の水を使用するように構成されるため、このような水を排出するために、図１７及び図１８Ａに示されたように、排出ステップ（Ｓ２）の前に行うことができる。より詳細には、このような清掃ステップ（Ｓ２）を行うために、ノズル１５０は、所定量の水をヒータ１３０に噴射する。過度に多い量の水がヒータ１３０に噴射されると、ダクト１００内に多量の水が残留する可能性が高まり、既に上記で言及したように、残留する水は、後続するステップに影響を及ぼす。したがって、ノズル１５０は、ヒータ１３０に水を間欠的に噴射することができる。例えば、ノズル１５０は、０．３秒間水を噴射し、２．５秒間停止してもよい。また、このような噴射及び停止のセットは、例えば、４回繰り返すことができる。清掃ステップ（Ｓ２）によって、ヒータ１３０の不純物が除去されるため、後続するステップ、特に、スチーム供給プロセスＰ２においてヒータ１３０の安定した作動が保障される。また、清掃ステップ（Ｓ２）において、噴射された水はヒータ１３０を全体的に冷却させることができる。したがって、ヒータ１３０の表面の温度は全体的に均一になり、これによって、ヒータ１３０は、後続するステップにおいてより安定で且つ効果的に作動することができる。一方、前述したように、スチーム供給プロセスＰ２では、多量のスチームが続けてタブ３０に供給される。洗剤ボックス１５は、タブ３０に連結されているため、スチームの一部が、洗剤ボックス１５を通じて洗濯機の外部に漏れる可能性がある。したがって、漏出したスチームによって使用者が火傷を負うこともあり、洗濯機自体の信頼性も低下する。このような漏れを防止するために、清掃ステップ（Ｓ２）において洗剤ボックス１５に所定量の水が供給される。より詳細には、洗剤ボックス１５に連結されたバルブが短時間の間（例えば、０．１秒）に開放され、これによって、水が洗剤ボックス１５に供給される。供給された水は、洗剤ボックス１５の内部、及び洗剤ボックス１５とタブ３０とを連結する管の内部を濡らす。したがって、タブ３０から漏出したスチームは、連結管の内部及び洗剤ボックス１５の内部に存在する水分によって凝縮され、これによって、洗剤ボックス１５から漏れない。前述したヒータの清掃及び漏れ防止には多量の水が使用される。このような水が残留すると、後続するステップの効率を低下させることがある。したがって、清掃ステップ（Ｓ２）の間にも、図１７及び図１８ａに示されたように、使われた水を排出するように排水ポンプ９０を作動させることができる。清掃ステップ（Ｓ２）において、排水ポンプ９０は、清掃ステップ（Ｓ２）の少なくとも一部期間において行われてもよいが、好ましくは、清掃ステップ（Ｓ２）の全期間にわたって作動する。清掃ステップ（Ｓ２）は、図１７及び図１８Ａに示されたように、例えば、１２秒間行うことができる。
【０１６１】
また、より効率的な制御のために、洗濯機に供給される電圧を感知することができる（Ｓ１）。このような電圧の感知に基づく制御は、本明細書の該当箇所においてより詳細に説明される。
【０１６２】
前述したように、ステップ（Ｓ１〜Ｓ４）は、後続するステップ（Ｓ５〜Ｓ７）、すなわち、スチーム供給プロセスＰ２のための最適の環境をつくることができる。すなわち、ステップ（Ｓ１〜Ｓ４）は、スチーム供給プロセスＰ２のための準備を提供する機能を行う。したがって、図１６、図１７、図１８Ａに示されたように、これらのステップ（Ｓ１〜Ｓ４）は、その機能的な面において一つのプロセス、すなわち、前処理プロセスＰ１を形成する。前処理プロセスＰ１は、スチームの生成及び供給のための最適の環境を作ることによって、スチーム供給プロセスＰ２を実質的に補助する。したがって、スチーム供給プロセスＰ２が、前述したように、リフレッシュコースではなく、基本的な洗濯コース又は他の個別的なコースにスチームを供給するために独立して適用されるとき、前処理プロセスＰ１は、当該コースに選択的に適用され得る。
【０１６３】
一方、スチーム供給プロセスＰ２において供給されたスチームは、所望のように、その高い温度及び水分によって、洗濯物のシワ、臭い及び静電気などをある程度除去することができる。したがって、洗濯物をリフレッシュすることができる。それにもかかわらず、このようなリフレッシュ機能の効果を最大化するためには、所定の後処理が更に必要となることもある。また、供給されたスチームは、洗濯物に水分を供給するため、使用者の便宜のためには、リフレッシュされた洗濯物から水分を除去するための後処理を必要とする。
【０１６４】
後処理として、スチーム供給ステップ（Ｓ７）の後に、まず、第１乾燥ステップ（Ｓ９）を行うことができる。公知のように、繊維のシワを伸ばすためには、繊維の組織が再配列される過程が要求される。このような繊維組織の再配列のためには、まず、所定量の水分を提供し、十分な時間の間に繊維内の水分を徐々に除去しなければならない。すなわち、水分を徐々に除去しないと、変形した繊維組織を円滑に元の状態に復元できない。過度に高い温度に繊維を乾燥させたときは、水分だけが急速に繊維から除去され、繊維組織は変形したままになる。このような理由によって、水分を徐々に除去するために、第１乾燥ステップ（Ｓ９）は、相対的に低い温度に洗濯物を加熱しながら、洗濯物を乾燥させるように構成することができる。すなわち、第１乾燥ステップ（Ｓ９）は、実質的に低温乾燥に該当する。
【０１６５】
第１乾燥ステップ（Ｓ９）は、様々な方法によって行うことができるが、相対的に低い温度に加熱された空気を所定時間の間にタブ３０に供給することによって行うことができる。供給された加熱空気は、最終的にドラム４０内の洗濯物に供給される。当該加熱された空気の供給は、スチーム供給メカニズムを形成するダクト１００内の部品を用いて容易に達成することができる。例えば、図１７及び図１８Ｃを参照すると、加熱された空気を供給するために、ブロワ１４０とヒータ１３０とを作動させることができる。ヒータ１３０が熱を発散すると、当該熱は、周辺の空気を加熱するようになり、加熱された空気は、ブロワ１４０で提供された空気流動によってダクト１００に沿って移動することができる。当該加熱された空気は、空気流動と共にタブ３０及びドラム４０を経て洗濯物に到達することができる。また、ヒータ１３０が持続的に作動したときは、供給される空気の温度は継続的に上昇し、これによって、相対的に低い温度に維持されにくい。したがって、相対的に低い温度に加熱された空気を供給するために、ヒータ１３０を断続的に作動させることができる。例えば、ヒータ１３０は、３０秒間作動させ、４０秒間停止させてもよく、このような作動及び停止を繰り返すことができる。さらに、相対的に低い温度に加熱された空気の供給のために、空気又はヒータ１３０の温度を直接制御することができる。例えば、ダクト１００の空気温度又はヒータ１３０の温度が第１設定温度まで下降すると、ヒータ１３０を作動させ得る。このとき、第１設定温度は５７℃であってもよい。また、ダクト１００の空気温度又はヒータ１３０の温度が第２設定温度まで上昇すると、ヒータ１３０を停止させ得る。このとき、第２設定温度は第１設定温度よりも高い温度であり、一例として、５８℃であってもよい。一方、前述したように、温度に基づいたヒータ１３０の単純制御だけでも、空気又はヒータ１３０の温度を、相対的に低い温度範囲である第１設定温度ないし第２設定温度（例えば、５７℃〜５８℃）に継続的に維持することができる。したがって、温度に基づいたヒータ１３０の単純制御に追加して、ヒータ１３０の断続的な作動を強制的に行わなくてもよい。また、スチーム供給プロセスＰ２で既にタブ３０内の温度は常温よりも高く、第１乾燥ステップ（Ｓ９）は相対的に低温の環境を必要とする。したがって、図１７及び図１８Ｃに示されたように、ヒータ１３０は、ブロワ１４０が所定時間（例えば、３秒）の間、作動した後に、作動を開始する。すなわち、第１乾燥ステップ（Ｓ９）は、初期にブロワ１４０だけが所定時間作動し、その後、ブロワ１４０とヒータ１３０とを同時に作動させることができる。
【０１６６】
上述した第１乾燥ステップ（Ｓ９）によって相対的に低い温度に加熱された空気が洗濯物に供給されるため、洗濯物の繊維組織は徐々に乾燥しながら再配列される。したがって、洗濯物は、シワを含まないように復元される。第１乾燥ステップ（Ｓ９）は、洗濯物を十分な時間の間に乾燥させるように、図１８Ｃに示されたように、例えば、９分３０秒間行うことができる。
【０１６７】
また、洗濯物は、供給されたスチームによって濡れてしまうため、洗濯物から水分を完全に除去する必要がある。したがって、第１乾燥ステップ（Ｓ９）の後に、第２乾燥ステップ（Ｓ１０）が行われる。水分を短時間内に洗濯物から除去するために、第２乾燥ステップ（Ｓ１０）は、高い温度に、すなわち、少なくとも第１乾燥ステップ（Ｓ９）よりも高い温度に洗濯物を乾燥させるように構成することができる。すなわち、第２乾燥ステップ（Ｓ１０）は、第１乾燥ステップ（Ｓ９）と比較するとき、高温乾燥に該当する。
【０１６８】
第２乾燥ステップ（Ｓ１０）は、様々な方法によって行うことができるが、非常に高い温度を有する空気を所定時間の間にタブ３０に供給することによって行うことができる。少なくとも第２乾燥ステップ（Ｓ１０）は、第１乾燥ステップ（Ｓ９）の空気温度より高い温度を有する空気を供給することができる。例えば、図１７及び図１８Ｃに示されたように、第１加熱ステップ（Ｓ９）と同様に、高い温度に加熱された空気を供給するために、ブロワ１４０とヒータ１３０とを作動させることができる。ヒータ１３０は、第１乾燥ステップ（Ｓ９）の断続的な作動とは異なり、高い温度の空気の継続的な供給のために継続的に作動させることができる。しかし、ヒータ１３０が持続的に作動する間に、ヒータ１３０が過熱し得る。したがって、ヒータ１３０の過熱を防止するために、空気又はヒータ１３０の温度を直接制御することができる。例えば、ダクト１００の空気温度又はヒータ１３０の温度が第２設定温度よりも高い第３設定温度（例えば、９５℃）まで上昇すると、ヒータ１３０が停止する。一方、ダクト１００の空気温度又はヒータ１３０の温度が第３設定温度よりも低い第４設定温度（例えば、９０℃）まで下降すると、ヒータ１３０は再び作動する。第４設定温度は、第２設定温度よりも高く、第３設定温度よりも低い。
【０１６９】
上述したように、第２乾燥ステップ（Ｓ１０）によって、高温に加熱された空気が洗濯物に供給されるため、洗濯物を短時間内に完全に乾燥させることができる。第２乾燥ステップ（Ｓ１０）は、図１７及び図１８Ｃに示されたように、例えば、第１乾燥ステップ（Ｓ９）よりも短い１分間行うことができる。すなわち、第１乾燥ステップ（Ｓ９）の期間は第２乾燥ステップ（Ｓ１０）よりも長い。
【０１７０】
上述したように、第１及び第２乾燥ステップ（Ｓ９、Ｓ１０）は、一種の後処理としての乾燥機能を提供するために互いにつながっている。したがって、図１６及び図１７に示されたように、これらのステップ（Ｓ９、Ｓ１０）は、その機能的な面において一つのプロセス、すなわち、乾燥プロセスＰ４を形成するようになる。
【０１７１】
一方、スチーム供給プロセスＰ２が完了した後、洗濯機の内部には多量のスチームが存在することになる。当該スチームは、凝縮されながら、ダクト１００、タブ３０、ドラム４０、及びそれらの内部部品の表面に薄い水膜を形成する。したがって、スチーム供給プロセスＰ２、すなわち、スチーム供給ステップ（Ｓ７）の後に直ちに乾燥ステップ（Ｓ９、Ｓ１０）が行われたときは、水膜は容易に蒸発し、蒸発した水分が洗濯物に供給されることによって乾燥の効率が大きく低下することがある。また、水膜は、一部の部品、特にヒータ１３０の作動を妨害することがある。このような理由によって、第１乾燥ステップ（Ｓ９）の前及びスチーム供給ステップ（Ｓ７）の後に、所定時間の間、洗濯機の作動を休止する（Ｓ８）。すなわち、休止ステップ（Ｓ８）は、スチーム供給ステップ（Ｓ７）と第１乾燥ステップ（Ｓ９）との間に行われる。言い換えると、休止ステップ（Ｓ８）は、スチーム供給プロセスＰ２と乾燥プロセスＰ４との間に行われる。図１７及び図１８Ｂに示されたように、休止ステップ（Ｓ８）の間に、ドラム４０及びその回転のためのモータを除外した洗濯機のすべての部品の作動が一時的に停止される。したがって、部品に形成された水膜は、水に更に凝縮されて集まる。凝縮された水は、水膜とは異なり容易に蒸発せず、乾燥ステップ（Ｓ９、Ｓ１０）の間に水分が洗濯物に供給されない。また、水膜の除去によって、ヒータ１３０の正常な作動が保障される。このような理由によって、休止ステップ（Ｓ８）によって、乾燥効率の減少を防止することができる。休止ステップ（Ｓ８）は、例えば、図１８Ｂに示されたように、３分（１８０秒）間行うことができる。休止ステップ（Ｓ８）は、部品から水膜、すなわち水分を除去する独立した機能を行うため、上記で定義された他のプロセス等と同様に、一つの水分除去プロセスＰ３として見なすことができる。
【０１７２】
乾燥ステップ（Ｓ９、Ｓ１０）を経た洗濯物は、加熱された空気によって高い温度を有する。したがって、使用者は、洗濯物によって火傷を負うこともあり、洗濯物の水分が除去されたにもかかわらず、乾燥された洗濯物を直ちに着ることができない。このような理由によって、第２乾燥ステップ（Ｓ１０）の後に、洗濯物を冷却させることができる（Ｓ１１）。より詳細には、冷却ステップ（Ｓ１１）は、洗濯物に、加熱されていない空気を供給することができる。例えば、図１７及び図１８Ｃに示されたように、加熱されていない空気を供給するように、冷却ステップ（Ｓ１１）において、ヒータ１３０の作動なしにブロワ１３０だけを常温の空気の流動のために作動させることができる。加熱されていない空気、すなわち、常温の空気は、ダクト１００、タブ３０及びドラム４０を通って移動しながら、最終的に洗濯物に供給される。供給された常温の空気は、洗濯物との熱交換によって洗濯物を冷却させることができる。したがって、使用者は、リフレッシュされた洗濯物を直ちに着ることができるため、使用者の便宜性が増加する。また、供給される常温の空気は、ダクト１００、タブ３０及びドラム４０だけでなく洗濯機の部品全体をある程度冷却させることができる。したがって、使用者が火傷を負うことを実質的に防止することができる。冷却ステップ（Ｓ１１）は、例えば、図１８Ｂに示されたように、８分間行うことができる。冷却ステップ（Ｓ１１）は、独立した機能を行うため、上記で定義された他のプロセス等と同様に、一つの冷却プロセスＰ５と見なすことができる。必要に応じて、図１７に示されたように、冷却ステップ（Ｓ１１）の後に、洗濯物及び洗濯機は、所定時間の間に更に常温の空気下で自然冷却させてもよい。
【０１７３】
図１６に示されたリフレッシュコースは、ステップ（Ｓ１〜Ｓ１）を連続的に行うことによって完了することができる。機能的な面を考慮するとき、スチーム供給プロセスＰ２は、スチーム供給メカニズムを最適に制御することによって効率的に十分な良質のスチームを生成し、これによって、リフレッシュコースの所望の機能を主に行うことができる。スチーム供給プロセスＰ２を補助して、前処理プロセスＰ１は、スチームの生成に最適の環境を形成し、水分除去プロセスＰ３は、乾燥に最適の環境を形成する。また、乾燥及び冷却プロセスＰ４、Ｐ５は、乾燥及び冷却のような後処理又は追加処理を行う。これらのプロセスの適切な連携によって、リフレッシュコースは、シワ、臭い、静電気の除去のような所望の機能を効果的に行うことができる。
【０１７４】
一方、ノズル１５０が異常作動したり、故障したりした場合、スチーム供給プロセスＰ２のスチーム発生ステップ（Ｓ６）においてヒータ１３０に供給される水の量が予め設定された量よりも少なくなったり、水の供給が中断されたりすることがある。他の部品とは異なり、ノズル１５０の異常作動又は故障は、直ちにヒータ１３０の過熱をもたらし、さらに、洗濯機の破損をもたらすことがある。前述したように、ノズル１５０の異常作動又は故障は、ダクト１００内に、より正確には、ヒータ１３０に供給される水の量（以下、‘給水量'）に直接的な影響を与えるため、異常作動又は故障は、給水量を判断することによって判断することができる。このような理由によって、図１６乃至図１８Ｃに示されたように、リフレッシュコースは、ヒータ１３０に供給される給水量を判断するステップ（Ｓ１２）を更に含むことができる。給水量判断ステップ（Ｓ１２）を含むリフレッシュコースについて、図１６乃至図２０を参照して、以下で説明する。
【０１７５】
給水量判断ステップ（Ｓ１２）は、ノズル１５０を通じてヒータ１３０に噴射される水の量を判断する。給水量判断ステップ（Ｓ１２）は、正確な判断のために、供給された水の実際の量を直接測定することができる。しかし、このような直接的な方法は、相対的に高価な装置を必要とするため、洗濯機の生産コストを増加させることがある。したがって、給水量判断ステップ（Ｓ１２）は、ヒータ１３０に十分な量の水が供給されたか否かだけを判断することによって行うことができる。すなわち、判断ステップ（Ｓ１２）は、給水量の判断において間接的な方式を採択できる。上記のスチーム供給プロセスＰ２で説明したように、ノズル１５０から供給された水がスチームに変化すると、自然にダクト１００内の空気の温度を上昇させる。より詳細には、予め設定された量の水が供給された場合、十分な量のスチームが発生し、ダクト１００内の空気の温度も一定の水準まで上昇することができる。反面、給水量が減少したり、水供給が中断された場合、相対的に少ない量のスチームが発生し、これによって、空気の温度も相対的に低い水準まで増加される。このような結果を考慮するとき、給水量は、ダクト１００内の空気の温度上昇量と相関関係を有する。すなわち、多い給水量は、大きい温度増加量をもたらし、相対的に少ない給水量は、同様に相対的に小さい温度増加量をもたらす。したがって、このような間接的な判断において、給水量判断ステップ（Ｓ１２）は、所定期間の間のダクト１００内の温度上昇量に基づいて、ヒータ１３０への給水量を判断することができる。
【０１７６】
このように、給水量判断ステップ（Ｓ１２）は、給水量の間接的な判断のために、スチームの発生による温度上昇量を判断する。したがって、当該温度上昇量の判断は、まず、スチームの生成を必ず必要とする。このような理由によって、給水量判断ステップ（Ｓ１２）は、基本的に、スチームを生成するスチーム発生ステップを含むことができる。公知のように、水がスチームに変化するとき、その体積は大きく膨張する。したがって、生成されたスチームは、ヒータ１３０が占める空間Ｓから自然に吐出される。このような理由によって、正確な温度増加量の測定のために、給水量判断ステップ（Ｓ１２）は、所定期間の間に、ヒータ１３０に隣接した地点の空気の温度上昇量を測定及び決定することができる。言い換えると、所定期間の間に、ヒータ１３０が占める空間（Ｓ５）から排出された空気の温度増加量を測定及び決定することができる。すなわち、給水量判断ステップ（Ｓ１２）は、ヒータ１３０が占める空間Ｓの外に位置し、排出されたスチームと混合され、これによって加熱された空気の温度増加量が測定される。このように、排出された空気及びスチームは直ちにダクトの排出部１１０ａに進入するため、給水量判断ステップ（Ｓ１２）は、ダクトの排出口１１０ａでの空気温度の増加量を測定できる。すなわち、排出部１１０ａは、実質的にヒータ１３０の後方を意味し、給水量判断ステップ（Ｓ１２）は、ヒータ１３０の後方に排出された空気の温度上昇量を測定できる。洗濯物の乾燥制御のために、排出部１１０ａには、循環する熱い空気の温度を測定するセンサを装着することができる。このような場合、センサは、乾燥ステップ（Ｓ９、Ｓ１０）（通常の洗濯物乾燥ステップを含む）だけでなく給水量判断ステップ（Ｓ１２）においても共通して使用することができる。したがって、上述した給水量判断ステップ（Ｓ１２）は、洗濯機の生産コストの節減において非常に有利である。さらに、給水量判断ステップ（Ｓ１２）は、リフレッシュコースの途中にいつでも行うことができる。また、スチーム発生ステップ（Ｓ６）は、温度増加量の測定に要求されるスチームを発生させるため、給水量判断ステップ（Ｓ１２）は、スチーム供給プロセスＰ２の途中に、スチーム発生ステップ（Ｓ６）で行われてもよい。しかし、ノズル１５０の異常作動を迅速でかつ正確に判断するために、給水量判断ステップ（Ｓ１２）は、図１６、図１７及び図１８Ａに示されたように、スチーム供給プロセスＰ２の直前、すなわち、準備ステップ（Ｓ５）の前に行われてもよい。
【０１７７】
上述した基本的な概念に基づいて、給水量判断ステップ（Ｓ１２）について、図１９を主に参照してより詳細に説明する。
【０１７８】
前述したように、給水量の判断は、スチームの発生による温度上昇量を用いるため、給水量判断ステップ（Ｓ１２）において、まず、所定時間の間にダクト内のヒータ１３０でスチームが生成される。当該スチームの生成において、既にスチーム供給プロセスＰ２で説明されたように、ダクト１００内のヒータ１３０が加熱される（Ｓ１２ａ）。また、加熱されたヒータ１３０に、所定時間の間に水が直接的に噴射されて供給される（Ｓ１２ａ）。すなわち、加熱及び供給ステップ（Ｓ１２ａ）は、上述したスチーム供給プロセスＰ２の準備ステップ（Ｓ５）及びスチーム発生ステップ（Ｓ６）と似ている。加熱及び供給ステップ（Ｓ１２ａ）を行うために、図１７及び図１８Ａに示されたように、ヒータ１３０及びノズル１５０を作動させることができる。上記において準備ステップ（Ｓ５）とスチーム発生ステップ（Ｓ６）とで説明されたように、適切なスチームの生成のためには、まず、所定時間の間の加熱が行われた後に水が供給されることが好ましい。すなわち、ヒータ１３０が所定時間作動された後、ノズル１５０が作動されることが好ましい。しかし、後続するステップにおいて温度上昇量を迅速に測定するために、スチームの生成も迅速に行うことができる。したがって、図１７及び図１８Ａに示されたように、加熱及び供給ステップ（Ｓ１２ａ）においてヒータ１３０とノズル１５０との作動は同時に開始される。また、判断ステップ（Ｓ１２）自体は、スチーム供給プロセスＰ２のようにスチームを供給するためのステップではないため、ブロワ１４０は作動させなくてもよい。加熱及び供給ステップ（Ｓ１２ａ）は、実質的に判断ステップ（Ｓ１２）の全期間に間、継続して行うことができ、例えば、１０秒間行うことができる。
【０１７９】
加熱及び供給ステップ（Ｓ１２ａ）が行われると、すなわち、スチームが生成され始めると第１温度を測定できる（Ｓ１２ｂ）。第１温度は、ヒータ１３０の後方に排出された空気の温度に該当する。言い換えると、第１温度は、ヒータ１３０の外に位置し、ヒータ１３０から排出されたスチームと混合しながら加熱される空気の温度に該当する。また、前述したように、第１温度は、ダクトの排出口１１０ａでの空気温度に該当する。さらに、スチームは、加熱及び供給ステップ（Ｓ１２ａ）が開始されると直ちに生成され、ヒータ１３０から自然に吐出される。したがって、測定ステップ（Ｓ１２ｂ）は、加熱及び供給ステップ（Ｓ１２ａ）が開始された後にいつでも行うことができる。しかし、温度上昇量の測定の信頼性を確保するために、測定ステップ（Ｓ１２ｂ）は、加熱及び供給ステップ（Ｓ１２ａ）が行われた直後、すなわち、スチームが生成され始めた直後に行われることが好ましい。一方、加熱及び供給ステップ（Ｓ１２ａ）の初期にはスチームの生成量が少ないため、ヒータ１３０が占める空間Ｓから円滑に吐出されないことがある。したがって、図１８Ａに示されたように、スチームを発生させるためのスチーム発生ステップに該当する加熱及び供給ステップ（Ｓ１２ａ）の少なくとも一部区間においてブロワ１４０を作動させてもよい。このとき、ブロワ１４０は、加熱及び供給ステップ（Ｓ１２ａ）の初期に作動させることが好ましい。例えば、加熱及び供給ステップ（Ｓ１２ａ）の初期に、短い時間の間（例えば、１秒）、ブロワ１４０を作動させ得る。ブロワ１４０で供給された空気流動によって、加熱及び供給ステップ（Ｓ１２ａ）の初期にスチームをヒータ１３０から円滑に吐出させることができる。したがって、加熱及び供給ステップ（Ｓ１２ａ）の初期に、所定時間の間にヒータ１３０、ブロワ１４０及びノズル１５０の作動が同時に行われ、その後、ブロワ１４０の作動は停止し、ヒータ１３０及びノズル１５０だけが作動する。
【０１８０】
測定ステップ（Ｓ１２ｂ）が完了すると、所定時間の後に、ヒータ１３０の後方に吐出された空気の温度である第２温度が測定される（Ｓ１２ｃ）。すなわち、第１温度が測定された後、所定時間が経過してから第２温度が測定される。測定ステップ（Ｓ１２ｃ）において測定対象となる空気は、測定ステップ（Ｓ９ｂ）で説明された空気と同一である。
【０１８１】
測定ステップ（Ｓ１２ｃ）が完了すると、測定された第１及び第２温度から温度上昇量を計算することができる（Ｓ１２ｄ）。上昇量は、一般的に、第２温度から第１温度を減算することによって得ることができる。前述したステップ（Ｓ１２ｂ〜Ｓ１２ｄ）によって所定時間の間にヒータ１３０から排出された空気の温度上昇量が決定される。
【０１８２】
その後、計算された温度上昇量は、所定の基準値と比較することができる（Ｓ１２ｅ）。比較ステップ（Ｓ１２ｅ）において、計算された温度増加量が所定の基準値未満である場合、これは、温度の増加が十分になされなかったことを意味する。さらに、このような結果は、給水量が所定の給水量未満で、十分な水が供給されなかったか、水の供給が中断されて、これによって、十分なスチームが発生しなかったことを意味する。したがって、計算された温度増加量が所定の基準値未満である場合、少なくとも所定の給水量未満の十分でない水が供給されたと判断することができる（Ｓ１２ｆ）。一方、比較ステップ（Ｓ１２ｅ）において、計算された温度増加量が所定の基準値以上である場合、これは、温度増加が十分になされたことを意味する。さらに、このような結果は、給水量が所定の給水量を超過して、十分な水が供給されて十分なスチームが発生したことを意味する。したがって、計算された温度増加量が所定の基準値以上である場合、少なくとも所定の給水量を超過した十分な水が供給されたと判断することができる（Ｓ１２ｇ）。このような比較及び判断ステップ（Ｓ１２ｆ〜Ｓ１２ｇ）において、所定の基準値は、実験や解析を通じて得られ、例えば、５℃であってもよい。
【０１８３】
もし、判断ステップ（Ｓ１２ｇ）でのように、所定の給水量を超過して十分な水が供給されたと判断される場合、これは、ノズル１５０が故障なしに正常に作動しているものと判断することができる。
【０１８４】
一方、判断ステップ（Ｓ１２ｅ）において、所定の給水量を超過するものと判断した場合、スチームを生成してタブに供給する第１アルゴリズムを行うことができる。加えて、判断ステップ（Ｓ１２ｅ）において、所定の給水量未満であるものと判断した場合、スチームを生成しない第２アルゴリズムを行うことができる。
【０１８５】
第１アルゴリズムは、タブにスチームを供給するスチームアルゴリズムとタブに熱風を供給する乾燥アルゴリズムとを含む。このとき、スチームアルゴリズムは、上述したスチーム供給プロセスＰ２を含み、乾燥アルゴリズムは、上述した第１及び第２乾燥ステップのうち少なくとも一つを含み、好ましくは、第１及び第２乾燥ステップの両方を含む。また、第２アルゴリズムは、後述する第３及び第４乾燥ステップのうち少なくとも一つを含み、好ましくは、第３及び第４乾燥ステップの両方を含む。
【０１８６】
給水量判断ステップ（Ｓ１２）の判断ステップ（Ｓ１２ｅ）において所定の給水量を超過するものと判断した場合、図１９に示されたように、続けて準備ステップ（Ｓ５）を行うことができる。すなわち、スチーム供給プロセスＰ２を行うことができる。また、続けてステップ（Ｓ５〜Ｓ７）のセット、すなわち、スチーム供給プロセスＰ２を、予め設定された回数で繰り返すことができる。
【０１８７】
一方、給水量判断ステップ（Ｓ１２）は、スチームを用いるため、給水量判断ステップ（Ｓ１２）が完了した後、ダクト１００の内部には多量のスチームが存在することになる。当該スチームは、ダクト１００の内部の部品の表面に凝縮され、これらの部品の作動を妨害することがある。特に、当該凝縮水は、スチーム供給プロセスＰ２においてヒータ１３０の作動を妨害することがある。このような理由によって、給水量判断ステップ（Ｓ１２）の後に、第１アルゴリズム又は第２アルゴリズムを行う前に、所定時間の間、洗濯機の作動を休止する（Ｓ１３）。すなわち、休止ステップ（Ｓ１３）は、給水量判断ステップ（Ｓ１２）と第１アルゴリズムの準備ステップ（Ｓ５）との間に行われる。図１７及び図１８Ｂに示されたように、休止ステップ（Ｓ１３）の間、ドラム４０及びその回転のためのモータを除外した洗濯機のすべての部品の作動が一時的に停止される。したがって、ヒータ１３０を含んだダクト１００内の部品上の凝縮水は、蒸発したり、自然にこれらの部品から自重によって落ちる。このような理由によって、ヒータ１３０を含んだダクト内の部品が後続するステップにおいて正常に作動することができる。また、図１７及び図１８Ｂに示されたように、休止ステップ（Ｓ１３）の間にブロワ１４０が作動されてもよい。ブロワ１４０から提供された空気流動は、凝縮水の除去を促進させることができる。また、空気流動は、ヒータ１３０の表面を冷却させ、これによって、ヒータ１３０は、全体的に均一な表面温度を有する。したがって、後続する第１アルゴリズムの準備ステップ（Ｓ５）において、ヒータ１３０はより安定的に所望の性能を達成することができる。一方、ブロワ１４０は、図１８Ｂに示されたように、制御上の理由によって、休止ステップ（Ｓ１３）を超えて追加的な時間の間（例えば、図１８Ｂでは１秒）、作動させてもよい。すなわち、準備ステップ（Ｓ５）の初期にブロワ１４０を所定時間（例えば、１秒）の間、作動させ得る。休止ステップ（Ｓ１３）は、例えば、５秒間行うことができる。
【０１８８】
前述したように、判断ステップ（Ｓ１２）は、給水量の判断によってノズル１５０の正常状態を確認することができ、休止ステップ（Ｓ１３）は、一種の後処理であって、後続するステップに対する判断ステップ（Ｓ１２）の影響を最小化する。したがって、判断及び休止ステップ（Ｓ１２、Ｓ１３）は、機能的な面において互いにつながり、図１６、図１７、図１８Ａ、図１８Ｂに示されたように、一つのプロセス、すなわち、点検プロセスＰ６を形成する。
【０１８９】
判断ステップ（Ｓ１２ｅ）において、所定の給水量未満で、十分な水が供給されなかったと判断される場合（Ｓ１２ｆ）、これは、ノズル１５０が異常作動したり、故障したものと判断することができる。ノズル１５０の異常作動は、様々な理由によって発生可能であり、例えば、ノズル１５０に供給される水圧が異常に低い場合を含む。このようなノズル１５０の異常作動又は故障は、上述したように、ヒータ１３０の過熱及び故障、さらに、洗濯機の破損をもたらすことがある。したがって、判断ステップ（Ｓ１２ｆ）でのように、十分な水が供給されなかったと判断される場合、安全上の理由によって、洗濯機の作動を中止させることができる。それにもかかわらず、異常状態下でもリフレッシュコースはその所望の機能を行うように構成することができる。特に、ノズル１５０がたとえ少ない量でも水を供給する能力を有している場合、所望の機能を行うようにリフレッシュコースを変形させることができる。このような目的で、図２０は、代替ステップを示している。
【０１９０】
図２０に示されたように、所定の給水量未満で、十分な水が供給されなかったと判断される場合（Ｓ１２ｆ）、スチーム供給プロセスＰ２を、それ以上進行させたり、繰り返したりしない。すなわち、スチームの追加的な生成及び供給は中断される。その代わりに、第２アルゴリズムが行われる。第２アルゴリズムは、スチームを生成しないアルゴリズムであって、第３乾燥ステップ（Ｓ１４）を含む。リフレッシュコースにおいて、シワの除去が最も重要な機能と言えるため、第３乾燥ステップ（Ｓ１４）は、少なくともシワの除去のために構成することができる。前述したように、水分を徐々に除去しないと、変形した繊維組織を円滑に元の状態に復元できない。また、過度に高い温度に繊維を乾燥させると、シワが除去されないまま、水分だけが急速に繊維から除去される。したがって、洗濯物から水分を徐々に除去するために、第３乾燥ステップ（Ｓ１４）は、相対的に低い温度に洗濯物を加熱しながら、洗濯物を乾燥させるように構成することができる。すなわち、第３乾燥ステップ（Ｓ１４）も、第１乾燥と同様に低温乾燥に該当することができる。
【０１９１】
第３乾燥ステップ（Ｓ１４）は、相対的に低い温度に加熱された空気を所定時間の間、タブ３０に供給することによって行うことができる。加熱された空気を供給するために、ブロワ１４０とヒータ１３０とを作動させることができる。また、相対的に低い温度に加熱された空気を供給するために、ヒータ１３０を断続的に作動させることができる（Ｓ１４ａ）。例えば、ヒータ１３０を、４０秒間作動させ、３０秒間停止させ、このような作動及び停止を繰り返すことができる。第３乾燥ステップ（Ｓ１０）は、高温のスチームが供給されていない状態で行われるため、第３乾燥ステップ（Ｓ１０）での洗濯物及びその周辺温度は、第１乾燥ステップ（Ｓ９）よりも低い。したがって、同一のヒータの断続的な作動を行うにもかかわらず、第１乾燥ステップ（Ｓ９）でのヒータ作動時間（３０秒）よりも第３乾燥ステップ（Ｓ１４）でのヒータ作動時間（４０秒）が更に長く設定される。
【０１９２】
同様に、スチーム供給プロセスＰ２の中止によって、第３乾燥ステップ（Ｓ１４）の洗濯物には十分な水分が提供されていないことがある。しかし、上記の第１乾燥ステップ（Ｓ９）でも説明したように、効果的なシワの除去のためには、所定量の水分を供給し、その後、供給された水分を除去することが有利である。このような理由によって、第３乾燥ステップ（Ｓ１４）で洗濯物に水分を供給することができる（Ｓ１４ｂ）。当該水分は、様々な形態で洗濯物に供給することができ、例えば、気体状態の水又は液体状態の水を洗濯物に供給することができる。しかし、前述したように、気体状態の水であるスチームは、第３乾燥ステップ（Ｓ１４）で供給されにくい。反面、ミストは、液体状態であるにもかかわらず、小さな粒子からなっているため、洗濯物に水分を提供する際に、十分に効果的である。したがって、水分供給ステップ（Ｓ１４ｂ）は、ミストを洗濯物に供給することができる。すなわち、ミストは、少なくとも洗濯物に供給されるように、タブ３０に供給することができる。また、このようなミストの供給も様々な方法によって行うことができる。例えば、ノズル１５０が異常状態であるが、まだ作動可能であれば、すなわち、少量の水でも供給できれば、ノズル１５０がミストを噴射することができる。第３乾燥ステップ（Ｓ１４）の間に、加熱された空気を洗濯物に供給するために、空気流動を継続的に生成することができる。すなわち、ブロワ１４０は、第３乾燥ステップ（Ｓ１４）の間に継続的に作動することができる。したがって、ノズル１５０から噴射されたミストは、ブロワ１４０からの空気流動によって運ばれ、ダクト１００、タブ３０及びドラム４０を経て洗濯物に到達することができる。また、噴射されたミストのほとんどは、ヒータ１３０を通過しながらスチームに変化することができ、これによって、リフレッシュコースの所望の機能を効果的に行うこともできる。一方、ノズルが完全に故障した場合に備えて、洗濯物に直接水分を供給、より詳細には、ミストを噴射できるように、別途の装置を洗濯機に提供してもよい。別途の装置は、ノズル１５０と共に作動したり、独立して作動してもよい。別途の装置から供給されたミストも、タブ３０内の高温の環境によって、少なくとも部分的にスチームに変換され得る。さらに、ノズル１５０及び別途の装置は、洗濯物に水分を供給するために、ミストの代わりに液体状態の水をそのまま供給してもよい。
【０１９３】
水分供給ステップ（Ｓ１４ｂ）は、第３乾燥ステップ（Ｓ１４）の途中にいつでも開始することができる。しかし、高温の環境で水分を供給することが、その後に、供給された水分を除去するのに基本的に有利である。また、供給されるミストを部分的にスチームに変換させるためには、ミストが、可能なかぎり高温の環境で噴射されることが好ましい。したがって、水分供給ステップ（Ｓ１４ｂ）は、洗濯物に供給される空気が加熱される間に行うことができる。すなわち、水分供給ステップ（Ｓ１４ｂ）は、ヒータの断続的な作動において、ヒータ１３０が作動される間に行うことができる。すなわち、第３乾燥ステップ（Ｓ１４）は、ヒータ１３０が断続的に作動されるため、第３乾燥ステップ（Ｓ１４）は、ヒータ１３０が作動される作動区間とヒータ１３０が停止される停止区間とを含む。このとき、水分供給ステップ（Ｓ１４ｂ）は、ヒータ１３０の作動区間で行うことができる。さらに、より確実な結果のために、水分供給ステップ（Ｓ１４ｂ）は、洗濯物に供給される空気が加熱される間だけ、行うことができる。すなわち、水分供給ステップ（Ｓ１４ｂ）は、ヒータの断続的な作動において、ヒータ１３０が作動する間だけ行うことができる。より詳細には、水分供給ステップ（Ｓ１４ｂ）は、ヒータ１３０が作動する４０秒の間に行われることが好ましい。また、最も高温の環境が形成されるヒータ１３０の作動区間のうち、終盤の一部（例えば、最後の１０秒）の間、行われることが更に好ましい。また、過度に多い量の水分が供給されると、洗濯物のシワは除去されずに、むしろ洗濯物は濡れてしまう。したがって、水分供給ステップ（Ｓ１４ｂ）は、第３乾燥ステップ（Ｓ１４）の一部の間だけ行われる。さらに、同じ理由によって、水分供給ステップ（Ｓ１４ｂ）は、第３乾燥ステップ（Ｓ１４）の前半の間だけ行われることが好ましい。一方、第３乾燥ステップ（Ｓ１４）は、高温のスチームが供給されていない状態で行われるため、シワの除去に十分な時間を有するように、例えば、２０分間行うことができる。第３乾燥ステップ（Ｓ１４）の期間は、類似する第１乾燥ステップ（Ｓ９）よりも長く設定される。また、水分供給ステップ（Ｓ１４ｂ）も、２０分の第３乾燥ステップ（Ｓ１４）の前半の間、すなわち、第３乾燥ステップ（Ｓ１４）が開始された後、１１分まで行うことができる。
【０１９４】
また、供給された水分によって洗濯物は濡れてしまうため、洗濯物から水分を除去する必要がある。したがって、第２アルゴリズムは、第３乾燥ステップ（Ｓ１４）の後に行われる第４乾燥ステップ（Ｓ１５）を含む。第４乾燥ステップ（Ｓ１５）は、その機能及び具体的な作動において、上述した第２乾燥ステップ（Ｓ１０）と実質的に同一でありうる。したがって、上記で第２乾燥ステップ（Ｓ１０）に関連して論議されたすべての特徴は、そのまま第４乾燥ステップ（Ｓ１５）に適用可能であり、これによって、更なる説明は省略される。
【０１９５】
上述した第３及び第４乾燥ステップ（Ｓ１４、Ｓ１５）は、スチームの供給が不可能な場合に、リフレッシュ機能を行うと同時に乾燥機能を提供するために互いにつながっている。したがって、図２０に示すように、これらのステップ（Ｓ１４、Ｓ１５）は、その機能的な面において一つのプロセス、すなわち、乾燥及びリフレッシュプロセスＰ７を形成する。
【０１９６】
上述した乾燥ステップを経た洗濯物は、加熱された空気によって高い温度を有するため、第４乾燥ステップ（Ｓ１５）の後に、洗濯物を冷却させることができる（Ｓ１６）。冷却ステップ（Ｓ１６）は、その機能及び具体的な作動において、上述した冷却ステップ（Ｓ１１）と実質的に同一でありうる。したがって、冷却ステップ（Ｓ１１）に関連して論議されたすべての特徴は、そのまま冷却ステップ（Ｓ１６）に適用可能であり、これによって、更なる説明は省略される。冷却ステップ（Ｓ１６）も独立した機能を行うため、上記で定義された他のプロセス等と同様に、一つの冷却プロセスＰ８と見なすことができる。必要な場合、図１７に示されたように、冷却ステップ（Ｓ１６）の後に、洗濯物及び洗濯機は、所定時間の間に更に常温の空気下で自然冷却させてもよい。
【０１９７】
図２０に示されたリフレッシュコースは、スチームの十分な供給又は供給自体が不可能な場合にも所望の機能を行うために、変形されたステップ（Ｓ１４〜Ｓ１６）を含む。当該変形されたリフレッシュコースは、必要な水分を供給するために、スチームの代わりにミストを洗濯物に提供することができる。また、変形されたリフレッシュコースでは、部分的にスチームを供給することも可能である。さらに、関連部品を適切に作動させることによって、シワだけでなく静電気も除去することができる。したがって、変形されたリフレッシュコースは、スチームの供給が中断された場合でも、洗濯機の既存部品を最適に制御することによって、所望のリフレッシュ機能を実現することができる。
【０１９８】
前述したステップ（Ｓ１〜Ｓ１３）のうち少なくともいずれか一つのステップにおいて、洗濯物は混ざり合う。このような混ざりのために、図１７及び図１８Ａ乃至図１８Ｃに示されたように、ドラム４０を回転させることができる。例えば、ドラム４０を、一方向に続けて回転させることができ、洗濯物は、ドラム４０内に提供されたリフタによって所定の高さまで持ち上げられた後、落下することを繰り返す。すなわち、洗濯物はタンブル（ｔｕｍｂｌｅ）される。ドラム４０及び内部の洗濯物は、相当の重量を有するため、これらに慣性も大きく作用する。したがって、ドラム４０は、回転のために、モータによって継続的に動力の供給を受ける必要がない。モータが停止しても、ドラム４０と洗濯物は慣性によって所定の時間回転可能である。したがって、ドラム４０の回転の間、モータは断続的に作動させてもよい。例えば、図１７及び図１８Ａ乃至図１８Ｃに示されたように、モータは、エネルギを節約するために、１６秒間作動させ、４秒間停止させてもよい。このようなドラム４０の回転によって、洗濯物はよく混ざり合い、各ステップ（Ｓ１〜Ｓ１３）において所望の機能が効果的に行われることを助けることができる。したがって、洗濯物の混ぜ合い、すなわち、ドラム４０の回転はすべてのステップ（Ｓ１〜Ｓ１３）の間、継続的に行うことができる。さらに、洗濯物の混ぜ合いは、上述した変形されたリフレッシュコースのためのステップ（Ｓ１４〜Ｓ１６）にも変形なしに適用することができる。また、洗濯物をよく混ぜ合うことができれば、他のドラム４０のモーション等も適用することができる。例えば、上述したタンブルの代わりに、ドラム４０は、所定時間の間に一方向に回転した後、他の方向に回転し、このようなセットを継続的に繰り返すことがきる。その他にも、必要に応じて、他のモーションが適用可能である。
【０１９９】
一方、スチーム供給プロセス（Ｐ２：Ｓ３〜Ｓ５）は、その独立したチームの生成及び供給機能によって、上記で既に論議されたように、リフレッシュコースだけでなく、基本的な洗濯コース又は他の個別的なコースにそのまま適用することができる。図２３は、スチーム供給プロセスが適用された基本的な洗濯コースを示す。図２３を参照して、基本的な洗濯コースでのスチーム供給プロセスの機能を具体的な例を挙げて説明すると、次の通りである。
【０２００】
一般に、洗濯コースは、洗濯水供給ステップ（Ｓ１００）、洗濯ステップ（Ｓ２００）、すすぎステップ（Ｓ３００）、及び脱水ステップ（Ｓ４００）からなることができる。また、洗濯機が、図２に示されたように乾燥のための構造を有する場合、脱水ステップ（Ｓ４００）の後に乾燥ステップ（Ｓ５００）を更に含むことができる。
【０２０１】
スチーム供給プロセスが、供給ステップ（Ｓ１００）の前及び／又は供給ステップ（Ｓ１００）の間に行われる場合（Ｐ２ａ、Ｐ２ｂ）、供給されたスチームによって洗濯物が予め濡らされることがあり、供給された洗濯水は加熱され得る。スチーム供給プロセスが、洗濯ステップ（Ｓ２００）の前及び／又は洗濯ステップ（Ｓ２００）の間に行われる場合（Ｐ２ｃ、Ｐ２ｄ）、供給されたスチームはタブ３０及びドラム４０内の空気及び洗濯水を加熱することによって、洗濯に有利な高温の環境を形成することができる。スチーム供給プロセスが、すすぎステップ（Ｓ３００）の前及び／又はすすぎステップ（Ｓ３００）の間に行われる場合（Ｐ２ｅ、Ｐ２ｆ）、供給されたスチームは同様にすすぎに有利なように内部の空気及びすすぎ水を加熱することができる。スチーム供給プロセスが、脱水ステップ（Ｓ４００）の前及び／又は脱水ステップ（Ｓ４００）の間に行われる場合（Ｐ２ｇ、Ｐ２ｈ）、供給されたスチームは主に洗濯物を殺菌する役割をする。スチーム供給プロセスが、乾燥ステップ（Ｓ５００）の前及び／又は乾燥ステップ（Ｓ５００）の間に行われる場合（Ｐ２ｉ、Ｐ２ｊ）、供給されたスチームは、タブ３０及びドラム４０の内部温度を大きく上昇させ、洗濯物から水分が容易に蒸発するように誘導する。必要な場合、洗濯物を最終的に殺菌するために、乾燥ステップ（Ｓ５００）の後にスチーム供給プロセス（Ｐ２ｋ）を行うことができる。また、上述したすべてのスチーム供給プロセス（Ｐ２ａ〜Ｐ２ｊ）は、スチームを用いて洗濯物を殺菌する機能を基本的に行う。さらに、スチーム供給プロセスを補助するために、準備プロセスＰ１を共に行うことができる。
【０２０２】
このように、本発明に係るスチーム供給プロセスＰ２は、十分な量のスチームを供給することによって、洗濯に有利な雰囲気を形成し、これによって、洗濯性能を大きく向上させることができる。また、スチーム供給プロセスＰ２は、洗濯物を殺菌することができ、これによって、例えば、使用者のアレルギーを防止することもできる。
【０２０３】
上述したスチーム供給メカニズムだけでなく、リフレッシュコース及び基本洗濯コースを考慮するとき、本発明に係る洗濯機は、高温の空気の供給のためのメカニズム、すなわち、乾燥用メカニズムをスチームの生成及び供給のために使用し、最小限の変形だけを適用する。また、本発明に係る制御方法、特にスチーム供給プロセスＰ２は、既存の乾燥メカニズム、すなわち、変形されたスチーム供給メカニズムを最適に制御する。したがって、本発明は、十分な良質のスチームを効率的に生成及び供給するための最小限の変形及び最適の制御を具現する。このような理由によって、本発明は、最小限に生産コストを増加させながらも、リフレッシュ、洗濯性能の向上及び殺菌だけでなく、他の様々な機能を効果的に行うことができる。
【０２０４】
上記でいくつかの実施例が説明されたが、本発明は、その趣旨及び範囲から逸脱することなく他の様々な形態に具体化できるということは、当該技術の分野における通常の知識を有する者にとっては自明である。したがって、上述した実施例は、制限的なものではなく、例示的なものと理解しなければならず、添付の請求項及びその同等範囲内のすべての実施例は、本発明の範囲に含まれる。
【図１】
0005695103.tif 000002
【図２】
0005695103.tif 000003
【図３】
0005695103.tif 000004
【図４】
0005695103.tif 000005
【図５】
0005695103.tif 000006
【図６】
0005695103.tif 000007
【図７】
0005695103.tif 000008
【図８】
0005695103.tif 000009
【図９】
0005695103.tif 000010
【図１０】
0005695103.tif 000011
【図１１】
0005695103.tif 000012
【図１２】
0005695103.tif 000013
【図１３】
0005695103.tif 000014
【図１４】
0005695103.tif 000015
【図１５】
0005695103.tif 000016
【図１６】
0005695103.tif 000017
【図１７】
0005695103.tif 000018
【図１８Ａ】
0005695103.tif 000019
【図１８Ｂ】
0005695103.tif 000020
【図１８Ｃ】
0005695103.tif 000021
【図１９】
0005695103.tif 000022
【図２０】
0005695103.tif 000023
【図２１】
0005695103.tif 000024